(57)【要約】【課題】本件発明の課題は、フォーカス群の軽量化を図りつつ、小型で、且つ、光学性能の高いズームレンズ及び撮像装置を提供することにある。【解決手段】上記課題を解決するため、物体側から順に、正の屈折力を有するレンズ群Ｇ１と、負の屈折力を有するレンズ群Ｇａと、正又は負の屈折力を有するレンズ群Ｇｂと、正の屈折力を有するレンズ群Ｇｐと、負の屈折力を有するレンズ群Ｇｎ１と、負の屈折力を有するレンズ群Ｇｎ２とを備え、合焦時に、前記レンズ群Ｇｎ１及び前記レンズ群Ｇｎ２が光軸上を互いに異なる軌道で移動し、変倍時に、少なくとも前記レンズ群Ｇａ及び前記レンズ群Ｇｂが光軸上を移動し、互いに隣接するレンズ群間の光軸上の間隔が、合焦時及び変倍時の少なくともいずれか一方において変化することを特徴とするズームレンズを採用する。【選択図】図１
2020052338.tif 000002
【特許請求の範囲】
【請求項１】
最も物体側に配置される正の屈折力を有するレンズ群Ｇ１と、
前記レンズ群Ｇ１よりも像側に配置される負の屈折力を有するレンズ群Ｇａと、
前記レンズ群Ｇａよりも像側に配置される正又は負の屈折力を有するレンズ群Ｇｂと、
前記レンズ群Ｇｂよりも像側に配置される正の屈折力を有するレンズ群Ｇｐと、
前記レンズ群Ｇｐよりも像側に配置される負の屈折力を有するレンズ群Ｇｎ１と、
前記レンズ群Ｇｎ１よりも像側に配置される負の屈折力を有するレンズ群Ｇｎ２と、
を備え、
無限遠から近接物体への合焦時に、前記レンズ群Ｇｎ１及び前記レンズ群Ｇｎ２が光軸上を互いに異なる軌道で移動し、
変倍時に、少なくとも前記レンズ群Ｇａ及び前記レンズ群Ｇｂが光軸上を移動し、
互いに隣接するレンズ群間の光軸上の間隔が、合焦時及び変倍時の少なくともいずれか一方において変化することを特徴とするズームレンズ。
【請求項２】
以下の条件式を満足する請求項１に記載のズームレンズ。
０．５０  ＜  Ｆ１／Ｆｗ  ＜  ４．００  ・・・（１）
但し、
Ｆ１  ：  前記レンズ群Ｇ１の焦点距離
Ｆｗ  ：  当該ズームレンズの広角端における焦点距離
【請求項３】
以下の条件式を満足する請求項１又は請求項２に記載のズームレンズ。
０．２５  ＜  Ｆ１／Ｆｔ  ＜  ２．００  ・・・（２）
但し、
Ｆ１  ：  前記レンズ群Ｇ１の焦点距離
Ｆｔ  ：  当該ズームレンズの望遠端における焦点距離
【請求項４】
前記レンズ群Ｇ１は変倍時に像面に対して固定である請求項１から請求項３のいずれか一項に記載のズームレンズ。
【請求項５】
前記レンズ群Ｇａは、以下の条件を満足する負レンズＬａｎを少なくとも１枚有する請求項１から請求項４のいずれか一項に記載のズームレンズ。
６０  ＜  νａｎ  ＜  １１０  ・・・（３）
但し、
νａｎ  ：  前記レンズ群Ｇａに含まれる負レンズＬａｎのｄ線におけるアッベ数
【請求項６】
以下の条件式を満足する請求項１から請求項５のいずれか一項に記載のズームレンズ。
０．３０  ＜  Ｆ１／｜Ｆｂ｜  ＜  ４．００  ・・・（４）
但し、
Ｆ１  ：  前記レンズ群Ｇ１の焦点距離
Ｆｂ  ：  前記レンズ群Ｇｂの焦点距離
【請求項７】
以下の条件式を満足する請求項１から請求項６のいずれか一項に記載のズームレンズ。
０．０５  ＜  Ｆｐ／｜Ｆｂ｜  ＜  １．５０  ・・・（５）
但し、
Ｆｐ  ：  前記レンズ群Ｇｐの焦点距離
Ｆｂ  ：  前記レンズ群Ｇｂの焦点距離
【請求項８】
以下の条件式を満足する請求項１から請求項７のいずれか一項に記載のズームレンズ。
０．０５  ＜  ｜Ｆａ／Ｆｂ｜  ＜  １．５０  ・・・（６）
但し、
Ｆａ  ：  前記レンズ群Ｇａの焦点距離
Ｆｂ  ：  前記レンズ群Ｇｂの焦点距離
【請求項９】
以下の条件式を満足する請求項１から請求項８のいずれか一項に記載のズームレンズ。
０．０５  ＜  Ｆｐ／Ｆｔ  ＜  １．００  ・・・（７）
Ｆｐ  ：  前記レンズ群Ｇｐの焦点距離
Ｆｔ  ：  当該ズームレンズの望遠端における焦点距離
【請求項１０】
以下の条件式を満足する請求項１から請求項９のいずれか一項に記載のズームレンズ。
０．４０  ＜  ｜Ｆａ｜／Ｍａ  ＜  ４．００  ・・・（８）
但し、
Ｆａ  ：  前記レンズ群Ｇａの焦点距離
Ｍａ  ：  広角端から望遠端への変倍時における前記レンズ群Ｇａの移動量
【請求項１１】
前記レンズ群Ｇｐは変倍時に像面に対して固定である請求項１から請求項１０のいずれか一項に記載のズームレンズ。
【請求項１２】
前記レンズ群Ｇｐは、物体側から順に配置される、物体側部分レンズ群Ｇｐｆと、開口絞りと、正の屈折力を有する像側部分レンズ群Ｇｐｒとから構成され、
以下の条件式を満足する請求項１から請求項１１のいずれか一項に記載のズームレンズ。
Ｆｐｒ／｜Ｆｐｆ｜  ＜  ２．５０  ・・・（９）
但し、
Ｆｐｆ  ：  前記物体側部分レンズ群Ｇｐｆの焦点距離
Ｆｐｒ  ：  前記像側部分レンズ群Ｇｐｒの焦点距離
【請求項１３】
以下の条件を満足する請求項１から請求項１２のいずれか一項に記載のズームレンズ。
０．０５  ＜  αｎ２ｔ／αｎ１ｔ  ＜  ０．５０    ・・・（１０）
但し、
αｎ１ｔ  ＝  ｜｛１−（βｎ１ｔ×βｎ１ｔ）｝×βｎ１ｒｔ×βｎ１ｒｔ｜
αｎ２ｔ  ＝  ｜｛１−（βｎ２ｔ×βｎ２ｔ）｝×βｎ２ｒｔ×βｎ２ｒｔ｜
βｎ１ｔ  ：  前記レンズ群Ｇｎ１の望遠端無限遠合焦時における横倍率
βｎ２ｔ  ：  前記レンズ群Ｇｎ２の望遠端無限遠合焦時における横倍率
βｎ１ｒｔ：  前記レンズ群Ｇｎ１より像側に配置される全レンズ群の望遠端無限遠合焦時における合成横倍率
βｎ２ｒｔ  ：  前記レンズ群Ｇｎ２より像側に配置される全レンズ群の望遠端無限遠合焦時における合成横倍率
【請求項１４】
以下の条件式を満足する請求項１から請求項１３のいずれか一項に記載のズームレンズ。
０．０５  ＜  ｜Ｆｎ１｜／Ｆｔ  ＜  ０．５０  ・・・（１１）
但し、
Ｆｎ１：  前記レンズ群Ｇｎ１の焦点距離
Ｆｔ  ：  当該ズームレンズの望遠端における焦点距離
【請求項１５】
以下の条件式を満足することを特徴とする請求項１から請求項１４のいずれか一項に記載のズームレンズ。
０．０５  ＜  ｜Ｆｎ２｜／Ｆｔ  ＜  ０．７０  ・・・（１２）
Ｆｎ２：  前記レンズ群Ｇｎ２の焦点距離
Ｆｔ  ：  当該ズームレンズの望遠端における焦点距離
【請求項１６】
以下の条件式を満足することを特徴とする請求項１から請求項１５のいずれか一項に記載のズームレンズ。
０．４０  ＜  Ｒ１ｆ／Ｆｔ  ・・・（１３）
但し、
Ｒ１ｆ：  前記レンズ群Ｇ１の最も物体側面の曲率半径
Ｆｔ  ：  当該ズームレンズの望遠端における焦点距離
【請求項１７】
以下の条件式を満足することを特徴とする請求項１から請求項１６のいずれか一項に記載のズームレンズ。
０．５＜（Ｒｎ１ｆ＋Ｒｎ１ｒ）／（Ｒｎ１ｆ−Ｒｎ１ｒ）＜５．０  ・・・（１４）
但し、
Ｒｎ１ｆ  ：  前記レンズ群Ｇｎ１の最も物体側面の曲率半径
Ｒｎ１ｒ  ：  前記レンズ群Ｇｎ１の最も像側面の曲率半径
【請求項１８】
最も像側に正の屈折力を有するレンズ群Ｇｒを備える請求項１から請求項１７のいずれか一項に記載のズームレンズ。
【請求項１９】
以下の条件式を満足する請求項１８に記載のズームレンズ。
０．１０  ＜  ＢＦｔ／Ｆｒ  ＜    １．５０  ・・・（１５）
但し、
ＢＦｔ：  望遠端における前記レンズ群Ｇｒの最も像側面から結像面までの光軸上の長さ
Ｆｒ  ：  前記レンズ群Ｇｒの焦点距離
【請求項２０】
以下の条件式を満足する請求項１８又は請求項１９に記載のズームレンズ。
０．１０  ＜  Ｆｒ／Ｆｔ  ＜    ０．５０  ・・・（１６）
但し、
Ｆｒ  ：  前記レンズ群Ｇｒの焦点距離
Ｆｔ  ：  当該ズームレンズの望遠端における焦点距離
【請求項２１】
請求項１から請求項２０のいずれか一項に記載のズームレンズと、当該ズームレンズの像側に当該ズームレンズによって形成された光学像を電気的信号に変換する撮像素子とを備えたことを特徴とする撮像装置。
【発明の詳細な説明】
【技術分野】
【０００１】
本件発明は、ズームレンズ及び撮像装置に関し、特に、固体撮像素子等を用いた小型の撮像装置に好適なズームレンズ及び撮像装置に関する。
【背景技術】
【０００２】
近年、デジタルスチルカメラやデジタルビデオカメラ等の固体撮像素子を用いた撮影装置が普及している。撮像装置の撮像光学系として、例えば、複数のレンズ群を備え、変倍時に各レンズ群間の間隔を変化させることで焦点距離を変化させ、一部のレンズ群を移動させることで被写体に合焦するズームレンズが知られている（例えば、「特許文献１」参照）。
【０００３】
ズームレンズは被写体との距離に応じて焦点距離を調整することができるため、撮像時の利便性が高く、ユーザからの需要も高い。近年の撮像装置の高性能化及び小型化の急速な進展を受けて、ズームレンズにおいても一層の高性能化及び小型化が求められている。
【先行技術文献】
【特許文献】
【０００４】
【特許文献１】特開２０１６−１３９１２５号公報
【発明の概要】
【発明が解決しようとする課題】
【０００５】
特許文献１に開示のズームレンズでは、合焦時に第１フォーカスレンズ群と第２フォーカスレンズ群とを光軸に沿って移動させている。しかしながら、第２フォーカスレンズ群は有効径が大きく正の屈折力を有し、フォーカス群の軽量化が十分であるとはいえない。そのため、フォーカス群を駆動するための機構も大型化し、ズームレンズユニット全体の小型化が図ることが困難であった。
【０００６】
本件発明の課題は、フォーカス群の軽量化を図りつつ、小型で、且つ、光学性能の高いズームレンズ及び撮像装置を提供することにある。
【課題を解決するための手段】
【０００７】
上記課題を解決するため、本件発明に係るズームレンズは、最も物体側に配置される正の屈折力を有するレンズ群Ｇ１と、前記レンズ群Ｇ１よりも像側に配置される負の屈折力を有するレンズ群Ｇａと、前記レンズ群Ｇａよりも像側に配置される正又は負の屈折力を有するレンズ群Ｇｂと、前記レンズ群Ｇｂよりも像側に配置される正の屈折力を有するレンズ群Ｇｐと、前記レンズ群Ｇｐよりも像側に配置される負の屈折力を有するレンズ群Ｇｎ１と、前記レンズ群Ｇｎ１よりも像側に配置される負の屈折力を有するレンズ群Ｇｎ２とを備え、
無限遠から近接物体への合焦時に、前記レンズ群Ｇｎ１及び前記レンズ群Ｇｎ２が光軸上を互いに異なる軌道で移動し、変倍時に、少なくとも前記レンズ群Ｇａ及び前記レンズ群Ｇｂが光軸上を移動し、互いに隣接するレンズ群間の光軸上の間隔が、合焦時及び変倍時の少なくともいずれか一方において変化することを特徴とする。
【０００８】
また、上記課題を解決するため、本件発明に係る撮像装置は、上記ズームレンズの像側に前記ズームレンズによって形成された光学像を電気的信号に変換にする撮像素子を備えたことを特徴とする。
【発明の効果】
【０００９】
本件発明によれば、フォーカス群の軽量化を図りつつ、小型で、且つ、光学性能の高い望遠系のズームレンズ及び撮像装置を提供することができる。
【図面の簡単な説明】
【００１０】
【図１】本件発明の実施例１のズームレンズの広角端における無限遠合焦時のレンズ断面図を示す。
【図２】実施例１のズームレンズの、広角端（図中（ａ））、望遠端（図中（ｂ））における無限遠合焦時の収差図である。
【図３】実施例１のズームレンズの、広角端（図中（ａ））、望遠端（図中（ｂ））における近接物体合焦時の収差図である。
【図４】本件発明の実施例２のズームレンズの広角端における無限遠合焦時のレンズ断面図を示す。
【図５】実施例２のズームレンズの、広角端（図中（ａ））、望遠端（図中（ｂ））における無限遠合焦時の収差図である。
【図６】実施例２のズームレンズの、広角端（図中（ａ））、望遠端（図中（ｂ））における近接物体合焦時の収差図である。
【図７】本件発明の実施例３のズームレンズの広角端における無限遠合焦時のレンズ断面図を示す。
【図８】実施例３のズームレンズの、広角端（図中（ａ））、望遠端（図中（ｂ））における無限遠合焦時の収差図である。
【図９】実施例３のズームレンズの、広角端（図中（ａ））、望遠端（図中（ｂ））における近接物体合焦時の収差図である。
【図１０】本件発明の実施例４のズームレンズの広角端における無限遠合焦時のレンズ断面図を示す。
【図１１】実施例４のズームレンズの、広角端（図中（ａ））、望遠端（図中（ｂ））における無限遠合焦時の収差図である。
【図１２】実施例４のズームレンズの、広角端（図中（ａ））、望遠端（図中（ｂ））における近接物体合焦時の収差図である。
【図１３】本件発明の実施例５のズームレンズの広角端における無限遠合焦時のレンズ断面図を示す。
【図１４】実施例５のズームレンズの、広角端（図中（ａ））、望遠端（図中（ｂ））における無限遠合焦時の収差図である。
【図１５】実施例５のズームレンズの、広角端（図中（ａ））、望遠端（図中（ｂ））における近接物体合焦時の収差図である。
【図１６】本件発明の実施例６のズームレンズの広角端における無限遠合焦時のレンズ断面図を示す。
【図１７】実施例６のズームレンズの、広角端（図中（ａ））、望遠端（図中（ｂ））における無限遠合焦時の収差図である。
【図１８】実施例６のズームレンズの、広角端（図中（ａ））、望遠端（図中（ｂ））における近接物体合焦時の収差図である。
【図１９】本件発明の実施例７のズームレンズの広角端における無限遠合焦時のレンズ断面図を示す。
【図２０】実施例７のズームレンズの、広角端（図中（ａ））、望遠端（図中（ｂ））における無限遠合焦時の収差図である。
【図２１】実施例７のズームレンズの、広角端（図中（ａ））、望遠端（図中（ｂ））における近接物体合焦時の収差図である。
【発明を実施するための形態】
【００１１】
以下、本件発明に係るズームレンズ及び撮像装置の実施の形態を説明する。但し、以下に説明する当該ズームレンズ及び撮像装置は本件発明に係るズームレンズ及び撮像装置の一態様であって、本件発明に係るズームレンズ及び撮像装置は以下の態様に限定されるものではない。
【００１２】
１．ズームレンズ
１−１．ズームレンズの光学構成
本件発明に係るズームレンズは、最も物体側に配置される正の屈折力を有するレンズ群Ｇ１と、前記レンズ群Ｇ１よりも像側に配置される負の屈折力を有するレンズ群Ｇａと、前記レンズ群Ｇａよりも像側に配置される正又は負の屈折力を有するレンズ群Ｇｂと、前記レンズ群Ｇｂよりも像側に配置される正の屈折力を有するレンズ群Ｇｐと、前記レンズ群Ｇｐよりも像側に配置される負の屈折力を有するレンズ群Ｇｎ１と、前記レンズ群Ｇｎ１よりも像側に配置される負の屈折力を有するレンズ群Ｇｎ２とを備え、レンズ群間の光軸上の間隔を適宜変化させることにより変倍又は合焦する。なお、変倍時及び合焦時の動作等については後述する。
【００１３】
当該ズームレンズは、最も物体側に配置されるレンズ群Ｇ１に収斂作用を持たせ、その物体側に配置されるレンズ群に発散作用を持たせた望遠型のパワー配置を採用している。そのため望遠端では狭画角化（望遠レンズにおいては、より望遠化）を達成しつつ、光学全長が長くなることを抑制することができる。また、広角端では一眼レフカメラやミラーレス一眼カメラ等のレンズ交換式の撮像装置に要求されるバックフォーカスを確保しつつ、レンズ径が大きくなることを抑制することができる。これらのことから、上記パワー配置を採用することで、当該ズームレンズを収容する鏡筒部分を含めたズームレンズユニット全体を小型に構成することができる。但し、当該ズームレンズはいわゆる望遠系のズームレンズであり、広角端の半画角（ω）が２５度より小さいものとする。
【００１４】
なお、本件発明において、レンズ群は少なくとも１枚のレンズを含む。上記レンズ群Ｇ１、レンズ群Ｇａ、レンズ群Ｇｂ、レンズ群Ｇｐ、レンズ群Ｇｎ１及びレンズ群Ｇｎ２に関して、一のレンズ群に含まれるレンズは、原則として、変倍時及び合焦時の際の光軸方向における移動の有無、移動の向き及び移動量が全て同じであるものとする。また、互いに隣接するレンズ群は、変倍時及び合焦時の少なくともいずれか一方における光軸方向における移動の向き及び／又は移動量がそれぞれ異なる。そのため、変倍時及び合焦時の少なくともいずれか一方において互いに隣接するレンズ群間の光軸上の間隔は変化する。当該ズームレンズが、上記記レンズ群Ｇ１、レンズ群Ｇａ、レンズ群Ｇｂ、レンズ群Ｇｐ、レンズ群Ｇｎ１及びレンズ群Ｇｎ２以外のレンズ群（例えば、レンズ群Ｇｒ、レンズ群Ｇｃ等）を含む場合、その他のレンズ群についても同様である。但し、当該ズームレンズを構成する後述するレンズ群Ｇｐｆ及びレンズ群Ｇｐｒ等の、変倍時及び合焦時の少なくともいずれか一方において、一つのレンズ群であるとみなされたレンズ群を構成する部分レンズ群については、この限りではない。以下、各レンズ群の構成を説明する。
【００１５】
（１）レンズ群Ｇ１
レンズ群Ｇ１は、当該ズームレンズを構成する複数のレンズ群において、最も物体側に配置される正の屈折力を有するレンズ群である。但し、レンズ群Ｇ１より物体側に、屈折力を有さない、若しくは屈折力の極めて小さい光学素子が配置されていてもよい。そのような光学素子として、例えば、レンズを汚れやキズなどから保護するための保護フィルターや、入射光量を低下させるために用いられるＮＤフィルターや、色彩を調整するためのＰＬフィルター等の種々のフィルターが挙げられる。
【００１６】
レンズ群Ｇ１は正の屈折力を有する限り、その具体的なレンズ構成は特に限定されるものではないが、少なくとも２枚のレンズから構成することが好ましい。上記収斂作用を強め、当該ズームレンズの望遠端における一層の狭画角化（望遠レンズにおいては、より望遠化）を達成しつつ、当該ズームレンズの小型化を図る上で、レンズ群Ｇ１には強い正の屈折力を配置することが好ましい。このとき、レンズ群Ｇ１を２枚以上の正レンズから構成することで、各面の曲率が小さくなり過ぎるのを抑制し、レンズ群Ｇ１における諸収差、特に、球面収差の発生を抑制することができる。また、当該レンズ群Ｇ１を、少なくとも１枚の正レンズと少なくとも１枚の負レンズとから構成することで、レンズ群Ｇ１における色収差の発生を抑制することができる。これらの観点から、レンズ群Ｇ１は、少なくとも２枚の正レンズと、少なくとも１枚の負レンズを有するように構成することが好ましい。
【００１７】
（２）レンズ群Ｇａ
レンズ群Ｇａは、レンズ群Ｇ１よりも像側に配置され、且つ、レンズ群Ｇｂよりも物体側に配置される負の屈折力を有するレンズ群である。レンズ群Ｇａは負の屈折力を有する限り、その具体的なレンズ構成は特に限定されるものではない。しかしながら、上記発散作用を強め、当該ズームレンズの望遠端における一層の狭画角化（望遠レンズにおいては、より望遠化）を達成しつつ、当該ズームレンズの小型化を図る上で、レンズ群Ｇａには強い負の屈折力を配置することが好ましい。このとき、レンズ群Ｇａを２枚以上の負レンズから構成することで、各面の曲率が小さくなり過ぎるのを抑制し、レンズ群Ｇａにおける諸収差、特に、像面湾曲の発生を抑制することができる。特に、レンズ群Ｇａは３枚以上の負レンズを含むことが像面湾曲の発生を抑制する上でより好ましい。また、当該レンズ群Ｇａは、少なくとも１枚の正レンズを含むことが好ましい。レンズ群Ｇａが少なくとも１枚の正レンズを含む構成とすることにより、レンズ群Ｇａにおける色収差の発生を抑制することができる。これらの観点から、レンズ群Ｇａは、２枚以上の負レンズと、少なくとも１枚の正レンズとから構成されることが好ましく、３枚以上の負レンズと、少なくとも１枚の正レンズとから構成されることがより好ましい。
【００１８】
（３）レンズ群Ｇｂ
レンズ群Ｇｂは、当該ズームレンズにおいて、レンズ群Ｇａよりも像側に配置され、且つ、レンズ群Ｇｐよりも物体側に配置される正又は負の屈折力を有するレンズ群である。レンズ群Ｇｂは正又は負の屈折力を有する限り、その具体的なレンズ構成は特に限定されるものではないが、少なくとも１枚の正レンズと少なくとも１枚の負レンズとから構成することが好ましい。少なくとも１枚の正レンズと少なくとも１枚の負レンズとによりレンズ群Ｇｂを構成することにより、レンズ群Ｇｂにおける諸収差、特に球面収差及び色収差の発生を抑制することが容易になる。なお、レンズ群Ｇｂが正の屈折力を有するとき、レンズ群Ｇａで発生した収差をレンズ群Ｇｂにおいて良好に補正することができ、且つ、レンズ群Ｇｂより像側に配置されるレンズ群を小径化することができるという効果を奏する。また、レンズ群Ｇｂが負の屈折力を有するとき、変倍時における収差の発生を抑制することができるという効果を奏する。
【００１９】
（４）レンズ群Ｇｐ
レンズ群Ｇｐは、レンズ群Ｇｂよりも像側に配置され、且つ、レンズ群Ｇｎ１よりも物体側に配置される正の屈折力を有するレンズ群である。レンズ群Ｇｐは正の屈折力を有する限り、その具体的なレンズ構成は特に限定されるものではない。例えば、少なくとも１枚の負レンズを含む構成とすることで、諸収差、特に色収差の発生を抑制することができて好ましい。
【００２０】
また、当該レンズ群Ｇｐは、例えば、物体側から順に配置される、物体側部分レンズ群Ｇｐｆと、開口絞りと、正の屈折力を有する像側部分レンズ群Ｇｐｒとから構成することができる。レンズ群Ｇｐをこのように構成することで、開口絞りの径を小さくすることができる。また、これと同時に、レンズ群Ｇｐの像側に配置されるレンズ群の径を小さくすることができる。そのため、当該ズームレンズの小型化を図る上で当該構成を採用することが好ましい。
【００２１】
このように構成した場合、物体側部分レンズ群Ｇｐｆは、非球面レンズを含むことが好ましい。開口絞りの径を小さくするために物体側部分レンズ群Ｇｐｆに配置する屈折力を強めたときも、非球面レンズにより、諸収差、特に球面収差の発生を抑制することができるため、当該ズームレンズの小型化及び高性能化を実現することが容易になる。また、色収差の発生を抑制する上で、像側部分レンズ群Ｇｐｒは少なくとも１枚の負レンズを含むことが好ましい。
【００２２】
（５）レンズ群Ｇｎ１
レンズ群Ｇｎ１は、レンズ群Ｇｐよりも像側に配置される負の屈折力を有するレンズ群である。合焦時、レンズ群Ｇｎ１は光軸上を移動し、フォーカス群として機能する。負の屈折力を有するレンズ群Ｇｎ１をフォーカス群とすることにより、正の屈折力を有するレンズ群をフォーカス群とした場合と比較すると、フォーカス群の軽量化を図ることができる。
【００２３】
レンズ群Ｇｎ１の具体的なレンズ構成は特に限定されるものではないが、レンズ群Ｇｎ１は空気間隔を有さない単レンズユニットで構成されることが好ましい。レンズ群Ｇｎ１を単レンズユニットで構成することにより、レンズ群Ｇｎ１を軽量化することができ、変倍時や合焦時にレンズ群Ｇｎ１を駆動するための機構を小型化することができる。そのため、レンズ群Ｇｎ１を単レンズユニットから構成することにより、当該ズームレンズユニットの一層の小型化を図ることが容易になる。
【００２４】
ここで、「単レンズユニット」とは、１枚の単レンズ、或いは、複数の単レンズを空気間隔を介することなく一体化した接合レンズなどのレンズユニットをいう。すなわち、当該単レンズユニットは、複数の光学面を有する場合であっても、その最物体側面及び最像側面のみ空気と接し、その他の面は空気とは接していないものをいう。上記単レンズは、球面レンズ及び非球面レンズのいずれであってもよい。また、非球面レンズには、表面に非球面フィルムが貼設されたいわゆる複合非球面レンズも含まれるものとする。
【００２５】
（６）レンズ群Ｇｎ２
レンズ群Ｇｎ２は、レンズ群Ｇｎ１よりも像側に配置される負の屈折力を有するレンズ群である。レンズ群Ｇｎ２は、合焦時、レンズ群Ｇｎ１とは異なる軌道で光軸上を移動し、フォーカス群として機能する。負の屈折力を有するレンズ群Ｇｎ２をフォーカス群とすることにより、正の屈折力を有するレンズ群をフォーカス群とした場合と比較すると、フォーカス群の軽量化を図ることができる。
【００２６】
レンズ群Ｇｎ２の具体的なレンズ構成は特に限定されるものではないが、レンズ群Ｇｎ１と同様の理由から、空気間隔を有さない単レンズユニットで構成されることが好ましい。また、レンズ群Ｇｎ２は非球面レンズを含むことが好ましい。レンズ群Ｇｎ２に非球面レンズを配置することにより、合焦に伴う諸収差、特に像面湾曲の変動を抑制することがより容易になる。
【００２７】
（７）レンズ群Ｇｒ
当該ズームレンズにおいて、上記レンズ群の他、最も像側に正の屈折力を有するレンズ群Ｇｒを備えることが好ましい。当該ズームレンズの最も像側に正の屈折力を有するレンズ群Ｇｒを配置することで、レンズ群Ｇｎ１及びレンズ群Ｇｎ２により強い負の屈折力を配置することができる。その結果、変倍時及び合焦時のレンズ群Ｇｎ１及びレンズ群Ｇｎ２の移動量を小さくすることができ、レンズ群Ｇｎ１及びレンズ群Ｇｎ２を駆動するための機構を小型化することができる。さらに、当該ズームレンズの最も像側に当該レンズ群Ｇｒを配置することにより、当該ズームレンズから像面へ射出される軸外の主光線を光軸に対して平行に近づけることができる。そのため、斜入射光線に対して受光率が低下するような撮像素子を像面へ配置した場合でも、軸外の光線を効率よく撮像素子に受光させることができるため好ましい。
【００２８】
当該レンズ群Ｇｒの具体的なレンズ構成は特に限定されるものではないが、レンズ群Ｇｒは負の屈折面を有することが好ましい。レンズ群Ｇｒに負の屈折面を配置することにより、射出瞳位置を像面から離れた位置に配置することができ、当該ズームレンズから像面へ射出される軸外の主光線を光軸に対して平行に近づけることができる。そのため、斜入射光線に対して受光率が低下するような撮像素子を像面へ配置した場合でも、軸外の光線をより効率よく撮像素子に受光させることができるため好ましい。
【００２９】
また、レンズ群Ｇｒは非球面レンズを含むことが好ましい。レンズ群Ｇｒに非球面レンズを配置することで、諸収差、特に像面湾曲をより良好に抑制することが可能になる。さらに、レンズ群Ｇｒにおいて当該非球面レンズを最も像側に配置することで、像面湾曲をさらに良好に抑制することが可能になる。
【００３０】
（８）その他のレンズ群
当該ズームレンズは、レンズ群Ｇ１、レンズ群Ｇａ、レンズ群Ｇｂ、レンズ群Ｇｐ、レンズ群Ｇｎ１及びレンズ群Ｇｎ２を備えていればよい。また、これらのレンズ群に加えて、上記レンズ群Ｇｒを備えることがより好ましい。当該ズームレンズは上記列挙したレンズ群構成に限定されるものではなく、上記各レンズ群（Ｇ１，Ｇａ，Ｇｂ，Ｇｐ，Ｇｎ１，Ｇｎ２，Ｇｒ）の間に他のレンズ群を備えていてもよい。例えば、レンズ群Ｇ１とレンズ群Ｇａとの間に正の屈折力を有するレンズ群を配置することによって、望遠端における色収差を良好に補正することができる。しかしながら、レンズ群の数が多くなると当該ズームレンズの光学全長が長くなる。そのため、当該ズームレンズの小型化を図る上ではレンズ群Ｇ１とレンズ群Ｇａとは互いに隣接配置されることが好ましく、レンズ群Ｇｎ２とレンズ群Ｇｒとは互いに隣接配置されることが好ましい。また、レンズ群Ｇｎ１とレンズ群Ｇｎ２との間にも他のレンズ群が存在しないことがより好ましい。
【００３１】
また、当該ズームレンズは、上記列挙したレンズ群のうち、いずれか一のレンズ群全体又はその一部を光軸と略直交する方向に移動可能に構成してもよい。すなわち、上記列挙したレンズ群のうち、いずれか一のレンズ群全体又はその一部を防振群として構成してもよい。
【００３２】
本件発明に係るズームレンズは、上記最も物体側に配置される正の屈折力を有するレンズ群Ｇ１と、当該レンズ群Ｇ１の像側に配置される正の屈折力を有するレンズ群Ｇｐとの間に、物体側から順に、負の屈折力を有するレンズ群Ｇａと、正又は負の屈折力を有するレンズ群Ｇｂとを備え、変倍時にこれらのレンズ群間の光軸上の間隔を変化させることにより変倍作用を得つつ、レンズ群Ｇｐから射出する光束の径を小さくすることができる。そのため、レンズ群Ｇｐの像側に配置するフォーカス群としてのレンズ群Ｇｎ１及びレンズ群Ｇｎ２の径を小さくすることができる。さらに、レンズ群Ｇｎ１及びレンズ群Ｇｎ２は共に負の屈折力を有する。これらのことから、フォーカス群を軽量化することができ、フォーカス群を駆動するための機構も小型化することができる。そのため、当該ズームレンズユニット全体の小型化を図ることができる。
【００３３】
１−２．動作
（１）変倍時の動作
当該ズームレンズでは、変倍時に各レンズ群間の光軸上の間隔を変化させることにより変倍する。広角端から望遠端への変倍の際に、少なくともレンズ群Ｇａ及びレンズ群Ｇｂが光軸上を移動する。当該ズームレンズにおいて、レンズ群Ｇａ及びレンズ群Ｇｂ以外の移動の有無は特に限定されるものではない。また、変倍時に光軸上を移動する各レンズ群の移動方向や移動量は特に限定されるものではない。
【００３４】
レンズ群Ｇ１は変倍時に移動する可動群であってもよいが、変倍時に像面に対して固定される固定群であることがより好ましい。当該ズームレンズにおいて、最も物体側に配置されるレンズ群Ｇ１を固定群とすることで、レンズ群Ｇ１を駆動するための機構を設ける必要がなく、当該ズームレンズユニット全体の小型化を図る上で好ましい。
【００３５】
ここで、ズームレンズの鏡筒は、外筒と１又は複数の内筒とを備え、外筒に対して内筒を収容可能に構成し、外筒を内筒に対して相対的に回転させることで、外筒又は内筒を内筒又は外筒に対して伸縮可能にすることが行われている。レンズ群Ｇ１が固定群であると、レンズ群Ｇ１の周囲にはレンズ群Ｇ１を駆動するための機構を省略することができ、このような沈胴式の鏡筒構成を採用することが容易になり、不使用時における鏡筒長を短くすることができ、当該ズームレンズユニット全体の小型化を図ることができる。
【００３６】
レンズ群Ｇｐも変倍時に移動する可動群であってもよいが、変倍時に像面に対して固定される固定群であることがより好ましい。レンズ群Ｇｐの像側にはフォーカス群としても機能するレンズ群Ｇｎ１及びレンズ群Ｇｎ２が配置されるため、レンズ群Ｇｐを固定群とすることでレンズ群Ｇｐを駆動するための機構を省略することができ、ズームレンズユニット全体の小型化を図ることができる。
【００３７】
レンズ群Ｇｎ１及びレンズ群Ｇｎ２は、変倍時に像面に対して固定し、各レンズ群に隣接する他のレンズ群との光軸上の間隔が変化しないように配置してもよい。しかしながら、変倍時の収差変動を抑制する上で、レンズ群Ｇ１及びレンズ群Ｇ２のうちいずれか一方或いは双方を変倍時に光軸上を移動可能に構成し、各レンズ群に隣接する他のレンズ群との光軸上の間隔を変化させるように配置することが好ましい。
【００３８】
当該ズームレンズは複数の単レンズユニットから構成される。各単レンズユニットの曲率半径、屈折率、レンズ厚等の製造ばらつきや各単レンズユニット若しくは各レンズ群を保持する保持機構等の製造ばらつき等により、実製品では当該ズームレンズの焦点位置や収差が設計上の値から微小にズレてしまう場合がある。そのため、実製品では焦点位置と撮像面とのズレが生じるなど、設計上の光学性能が得られない場合がある。そのような場合にも、レンズ群Ｇ１及びレンズ群Ｇ２のうちいずれか一方或いは双方を変倍時に光軸上を移動可能に構成されていれば、各レンズ群に隣接する他のレンズ群との光軸上の間隔を変化させる際の変化量を適切に選択することで、製造誤差等に起因する種々のズレを補正することができる。従って、当該観点からレンズ群Ｇ１及びレンズ群Ｇ２のうちいずれか一方或いは双方を変倍時に光軸上を移動可能に構成されていることが好ましい。
【００３９】
当該ズームレンズが、レンズ群Ｇｒを備える場合、当該レンズ群Ｇｒは変倍時に移動する可動群であってもよいが、変倍時に像面に対して固定される固定群であることがより好ましい。レンズ群Ｇｒが固定群であると、レンズ群Ｇｒを駆動するための機構を省略することができ、ズームレンズユニット全体の小型化を図ることができる。
【００４０】
さらに、当該ズームレンズが、レンズ群Ｇｎ１、レンズ群Ｇｎ２及びレンズ群Ｇｒ以外のレンズ群を、レンズ群Ｇｐの像側に備える場合、広角端から望遠端への変倍の際に光軸上を移動するレンズ群はレンズ群Ｇｎ１及びレンズ群Ｇｎ２の二つのレンズ群のみであることが好ましい。レンズ群Ｇｎ１及びレンズ群Ｇｎ２は軽量であり、これらのレンズ群はステッピングモーターや、ボイスコイルモーター、超音波モーター等の小型の駆動機構により駆動させることができる。そのため、当該ズームレンズにおいて、レンズ群Ｇｐよりも像側に配置されるレンズ群のうち、合焦又は変倍の際に光軸上を移動するレンズ群をレンズ群Ｇｎ１及びレンズ群Ｇｎ２のみとし、他のレンズ群を像面に対して固定することで、当該ズームレンズの像側における駆動機構を簡易な構成とすることができ、ズームレンズユニット全体の小型化及び軽量化を図ることが一層容易になる。
【００４１】
（２）合焦時の動作
当該ズームレンズにおいて、無限遠から近接物体への合焦の際に、レンズ群Ｇｎ１及びレンズ群Ｇｎ２が光軸上を異なる軌道で移動する。合焦時におけるレンズ群Ｇｎ１及びレンズ群Ｇｎ２の移動の方向は特に限定されるものではないが、例えば、無限遠から近接物体への合焦の際に、レンズ群Ｇｎ１は像側に移動し、レンズ群Ｇｎ２は物体側に移動することが好ましい。
【００４２】
当該ズームレンズにおいて、無限遠から近接物体への合焦の際に、レンズ群Ｇｎ１及びレンズ群Ｇｎ２以外の他のレンズ群を同時に移動させて被写体に合焦しても良い。しかしながら、当該ズームレンズにおいて、合焦時に移動させるレンズ群は、レンズ群Ｇｎ１及びレンズＧｎ１の二つであることが好ましい。フォーカス群として機能させるレンズ群の数が増えると、それらのレンズ群を駆動するための機構が複雑になり、当該ズームレンズユニット全体の小型化を図ることが困難になるためである。
【００４３】
１−３．条件式
当該ズームレンズでは、上述した構成を採用するとともに、次に説明する条件式を１つ以上満足することが好ましい。
【００４４】
１−３−１．条件式（１）
０．５０  ＜  Ｆ１／Ｆｗ  ＜  ４．００  ・・・（１）
但し、
Ｆ１  ：  レンズ群Ｇ１の焦点距離
Ｆｗ  ：  当該ズームレンズの広角端における焦点距離
【００４５】
上記条件式（１）は、レンズ群Ｇ１の焦点距離と当該ズームレンズの広角端における焦点距離との比を規定する式である。条件式（１）を満足させることにより、当該ズームレンズの大型化を抑制しつつ、広角端における画角をより広げることが容易になる。また、少ないレンズ枚数で諸収差の補正を良好に行うことができ、光学性能の高い小型のズームレンズを実現することができる。
【００４６】
これに対して、条件式（１）の数値が下限値以下になると、当該ズームレンズの広角端における焦点距離に対してレンズ群Ｇ１の屈折力が適正な範囲を超えて大きくなる。この場合、レンズ群Ｇ１における諸収差の発生量が大きくなり、レンズ群Ｇ１において発生した諸収差をレンズ群Ｇ１よりも像側のレンズ群において補正することが困難になる。そのため、光学性能の高いズームレンズを実現するには、収差補正のためにレンズ枚数を増やす必要があり、当該ズームレンズの小型化を図ることが困難になる。一方、条件式（１）の数値が上限値以上になると、当該ズームレンズの広角端における焦点距離に対してレンズ群Ｇ１の屈折力が適正な範囲を超えて小さくなる。この場合、広角端において要求される画角を達成するには、レンズ群Ｇ１よりも像側に配置されるレンズ群の径を大きくする必要がある。そのため、当該ズームレンズの小型化を図ることが困難になる。
【００４７】
これらの効果を得る上で、条件式（１）の下限値は、０．６０であることがより好ましく、０．７０であることがさらに好ましく、０．８０であることが一層好ましく、０．９０であることがより一層好ましい。また条件式（１）の上限値は、３．５０であることがより好ましく、３．００であることがさらに好ましく、２．７０であることが一層好ましく、２．４０であることがより一層好ましい。
【００４８】
１−３−２．条件式（２）
０．２５  ＜  Ｆ１／Ｆｔ  ＜  ２．００  ・・・（２）
但し、
Ｆ１  ：  レンズ群Ｇ１の焦点距離
Ｆｔ  ：  当該ズームレンズの望遠端における焦点距離
【００４９】
上記条件式（２）は、レンズ群Ｇ１の焦点距離と当該ズームレンズの望遠端における焦点距離との比を規定する式である。条件式（２）を満足させることにより、当該ズームレンズの大型化を抑制しつつ、望遠端における画角をより狭めることが容易になる。また、少ないレンズ枚数で諸収差の補正を良好に行うことができ、光学性能の高い小型のズームレンズを実現することができる。
【００５０】
これに対して、条件式（２）の数値が下限値以下になると、当該ズームレンズの望遠端における焦点距離に対してレンズ群Ｇ１の屈折力が適正な範囲を超えて大きくなる。この場合、レンズ群Ｇ１における諸収差の発生量が大きくなり、レンズ群Ｇ１において発生した諸収差をレンズ群Ｇ１よりも像側のレンズ群において補正することが困難になる。そのため、光学性能の高いズームレンズを実現するには、収差補正のためにレンズ枚数を増やす必要があり、当該ズームレンズの小型化を図ることが困難になる。一方、条件式（２）の数値が上限値以上になると、当該ズームレンズの望遠端における焦点距離に対してレンズ群Ｇ１の屈折力が適正な範囲を超えて小さくなる。この場合、望遠端において要求される画角を達成するには、レンズ群Ｇ１と、レンズ群Ｇ１の像側に配置されるレンズ群との光軸上の間隔を大きくする必要があり、光学全長が長くなる。そのため、当該ズームレンズの小型化を図ることが困難になる。
【００５１】
これらの効果を得る上で、条件式（２）の下限値は、０．３０であることがより好ましく、０．３５であることがさらに好ましく、０．４０であることが一層好ましく、０．４５であることがより一層好ましい。また条件式（２）の上限値は、１．８０であることがより好ましく、１．６０であることがさらに好ましく、１．５０であることが一層好ましく、１．４０であることがより一層好ましい。
【００５２】
１−３−３．条件式（３）
当該ズームレンズにおいて、レンズ群Ｇａは以下の条件を満足する負レンズＬａｎを少なくとも１枚有することが好ましい。
【００５３】
６０  ＜  νａｎ  ＜  １１０  ・・・（３）
但し、
νａｎ  ：  レンズ群Ｇａに含まれる負レンズＬａｎのｄ線におけるアッベ数
【００５４】
レンズ群Ｇａが上記条件式（３）を満足する負レンズＬａｎを少なくとも１枚有することにより、広角端から望遠端への変倍に伴う色収差の変動を抑制し、変倍域全域において色収差の小さい良好な光学性能を実現することができる。ここで、レンズ群Ｇａは上記負レンズＬａｎを１枚以上有することが好ましく、２枚以下であることが好ましい。
【００５５】
これに対して、レンズ群Ｇａに含まれる負レンズのｄ線におけるアッベ数が全て条件式（３）の下限値以下であると、望遠端における色収差が過剰補正となり、広角端における色収差が補正不足となる。一方、レンズ群Ｇａに含まれる負レンズのｄ線におけるアッベ数が全て条件式（３）の上限値以上であると、広角端における色収差が過剰補正となり、望遠端における色収差が補正不足となる。
【００５６】
これらの効果を得る上で、条件式（３）の下限値は、６５であることがより好ましく、７０であることがさらに好ましく、７４であることが一層好ましく、７７であることがより一層好ましい。また条件式（３）の上限値は、１００であることがより好ましく、９６であることがさらに好ましく、９２であることが一層好ましく、８５であることがより一層好ましい。
【００５７】
１−３−４．条件式（４）
本件発明のズームレンズは、以下の条件式を満足することを特徴としている。
０．３０  ＜  Ｆ１／｜Ｆｂ｜  ＜  ４．００  ・・・（４）
但し、
Ｆ１  ：  レンズ群Ｇ１の焦点距離
Ｆｂ  ：  レンズ群Ｇｂの焦点距離
【００５８】
上記条件式（４）は、レンズ群Ｇ１の焦点距離とレンズ群Ｇｂの焦点距離との比を規定する式である。条件式（４）を満足させることにより、当該ズームレンズの大型化を抑制することができる。また、少ないレンズ枚数で諸収差の補正を良好に行うことができ、光学性能の高い小型のズームレンズを実現することができる。
【００５９】
これに対して、条件式（４）の数値が下限値以下になると、レンズ群Ｇｂの屈折力に対してレンズ群Ｇ１の屈折力が適正な範囲を超えて大きくなる。この場合、レンズ群Ｇ１における諸収差の発生量が大きくなり、レンズ群Ｇ１において発生した諸収差をレンズ群Ｇ１よりも像側のレンズ群において補正することが困難になる。そのため、光学性能の高いズームレンズを実現するには、収差補正のためにレンズ枚数を増やす必要があり、当該ズームレンズの小型化を図ることが困難になる。一方、条件式（４）の数値が上限値以上になると、当該ズームレンズの望遠端における焦点距離に対してレンズ群Ｇ１の屈折力が適正な範囲を超えて小さくなる。この場合、望遠端において要求される画角を達成するには、レンズ群Ｇ１と、レンズ群Ｇ１の像側に配置されるレンズ群との光軸上の間隔を大きくする必要があり、光学全長が長くなる。そのため、当該ズームレンズの小型化を図ることが困難になる。
【００６０】
これらの効果を得る上で、条件式（４）の下限値は、０．４０であることがより好ましく、０．５０であることがさらに好ましく、０．５８であることが一層好ましく、０．６５であることがより一層好ましい。また条件式（４）の上限値は、３．５０であることがより好ましく、３．００であることがさらに好ましく、２．６０であることが一層好ましく、２．３０であることがより一層好ましく、２．００であることがさらに一層好ましい。
【００６１】
１−３−５．条件式（５）
０．０５  ＜  Ｆｐ／｜Ｆｂ｜  ＜  １．５０  ・・・（５）
但し、
Ｆｐ  ：  レンズ群Ｇｐの焦点距離
Ｆｂ  ：  レンズ群Ｇｂの焦点距離
【００６２】
上記条件式（５）は、レンズ群Ｇｐの焦点距離とレンズ群Ｇｂの焦点距離との比を規定する式である。条件式（５）を満足させることにより、当該ズームレンズの開口絞り径及びレンズ群Ｇｂの像側に配置されるレンズ群の径を小さくすることができ、かつ、光学性能の高い小型のズームレンズを実現することができる。
【００６３】
これに対して、条件式（５）の数値が下限値以下になると、レンズ群Ｇｂの屈折力に対してレンズ群Ｇｐの屈折力が適正な範囲を超えて大きくなる。この場合、レンズ群Ｇｐにおける諸収差の発生量が大きくなり、レンズ群Ｇｐにおいて発生した諸収差をレンズ群Ｇｐよりも像側に配置されるレンズ群により補正することが困難になる。そのため、光学性能の高いズームレンズを実現するには、収差補正のためにレンズ枚数を増やす必要があり、当該ズームレンズの小型化を図ることが困難になる。一方、条件式（５）の数値が上限値以上になると、レンズ群Ｇｂの屈折力に対してレンズ群Ｇｐの屈折力が適正な範囲を超えて小さくなる。この場合、開口絞り径及びレンズ群Ｇｐの像側に配置されるレンズ群の径を小さくすることが困難になり、当該ズームレンズの小型化を図ることが困難になる。
【００６４】
これらの効果を得る上で、条件式（５）の下限値は、０．０８であることがより好ましく、０．１１であることがさらに好ましく、０．１３であることが一層好ましく、０．１５であることがより一層好ましい。また条件式（５）の上限値は、１．２０であることがより好ましく、１．００であることがさらに好ましく、０．８０であることが一層好ましく、０．７０であることがより一層好ましい。
【００６５】
１−３−６．条件式（６）
０．０５  ＜  ｜Ｆａ／Ｆｂ｜  ＜  １．５０  ・・・（６）
但し、
Ｆａ  ：  レンズ群Ｇａの焦点距離
Ｆｂ  ：  レンズ群Ｇｂの焦点距離
【００６６】
上記条件式（６）は、レンズ群Ｇａの焦点距離とレンズ群Ｇｂの焦点距離との比を規定する式である。条件式（６）を満足させることにより、当該ズームレンズの大型化を抑制しつつ、当該ズームレンズの変倍比（望遠端の焦点距離と広角端の焦点距離との比）を大きくでき、かつ、広角端から望遠端への変倍に伴う収差変動を抑制し、変倍域全域において良好な光学性能を実現することができる。
【００６７】
これに対して、条件式（６）の数値が下限値以下になると、レンズ群Ｇｂの屈折力に対してレンズ群Ｇａの屈折力が適正な範囲を超えて大きくなる。この場合、レンズ群Ｇａにおける諸収差の発生量が大きくなり、レンズ群Ｇａにおいて発生した諸収差をレンズ群Ｇａよりも像側に配置されたレンズ群において補正することが困難になる。そのため、光学性能の高いズームレンズを実現するには、収差補正のためにレンズ枚数を増やす必要があり、当該ズームレンズの小型化を図ることが困難になる。一方、条件式（６）の数値が上限値以上になると、レンズ群Ｇｂの屈折力に対してレンズ群Ｇａの適正な範囲を超えて小さくなる。この場合、変倍比を大きくするためには広角端から望遠端への変倍時におけるレンズ群Ｇａの移動量を大きくする必要があり、当該ズームレンズの小型化を図ることが困難になる。
【００６８】
これらの効果を得る上で、条件式（６）の下限値は、０．１０であることがより好ましく、０．１５であることがさらに好ましく、０．１８であることが一層好ましく、０．２１であることがより一層好ましい。また条件式（６）の上限値は、１．２０であることがより好ましく、１．００であることがさらに好ましく、０．８０であることが一層好ましく、０．７０であることがより一層好ましい。
【００６９】
１−３−７．条件式（７）
０．０５  ＜  Ｆｐ／Ｆｔ  ＜  １．００  ・・・（７）
【００７０】
上記条件式（７）は、レンズ群Ｇｐの焦点距離と当該ズームレンズの望遠端における焦点距離との比を規定する式である。条件式（７）を満足させることにより、当該ズームレンズの大型化を抑制しつつ、光学性能の高いズームレンズを実現することができる。
【００７１】
これに対して、条件式（７）の数値が下限値以下になると、当該ズームレンズの望遠端における焦点距離に対してレンズ群Ｇｐの屈折力が適正な範囲を超えて大きくなる。この場合、レンズ群Ｇｐにおける諸収差の発生量が大きくなり、レンズ群Ｇｐにおいて発生した諸収差をレンズ群Ｇｐよりも像側のレンズ群において補正することが困難になる。そのため、光学性能の高いズームレンズを実現するには、収差補正のためにレンズ枚数を増やす必要があり、当該ズームレンズの小型化を図ることが困難になる。一方、条件式（７）の数値が上限値以上になると、当該ズームレンズの望遠端における焦点距離に対してレンズ群Ｇｐの屈折力が適正な範囲を超えて小さくなる。この場合、開口絞り径及びレンズ群Ｇｐの像側に配置されるレンズ群の径を小さくすることが困難になり、当該ズームレンズの小型化を図ることが困難になる。
【００７２】
これらの効果を得る上で、条件式（７）の下限値は、０．０９であることがより好ましく、０．１２であることがさらに好ましく、０．１４であることが一層好ましく、０．１６であることがより一層好ましい。また条件式（７）の上限値は、０．９０であることがより好ましく、０．８０であることがさらに好ましく、０．７０であることが一層好ましく、０．６０であることがより一層好ましく、０．５０であることがさらに一層好ましく、０．４０であることがさらに一層好ましい。
【００７３】
１−３−８．条件式（８）
０．４０  ＜  ｜Ｆａ｜／Ｍａ  ＜  ４．００  ・・・（８）
但し、
Ｆａ  ：  レンズ群Ｇａの焦点距離
Ｍａ  ：  広角端から望遠端への変倍時におけるレンズ群Ｇａの移動量
【００７４】
上記条件式（８）は、レンズ群Ｇａの焦点距離と広角端から望遠端への変倍時におけるレンズ群Ｇａの移動量との比を規定する式である。条件式（８）を満足させることにより、当該ズームレンズの大型化を抑制しつつ、光学性能の高いズームレンズを実現することができる。
【００７５】
これに対して、条件式（８）の数値が下限値以下になると、広角端から望遠端への変倍時におけるレンズ群Ｇａの移動量に対してレンズ群Ｇａの屈折力適正な範囲を超えて大きくなる。この場合、レンズ群Ｇａにおける諸収差の発生量が大きくなり、レンズ群Ｇａにおいて発生した諸収差をレンズ群Ｇｐよりも像側に配置されるレンズ群により補正することが困難になる。そのため、光学性能の高いズームレンズを実現するには、収差補正のためにレンズ枚数を増やす必要があり、当該ズームレンズの小型化を図ることが困難になる。一方、条件式（８）の数値が上限値以上になると、広角端から望遠端への変倍時におけるレンズ群Ｇａの移動量に対してレンズ群Ｇａの屈折力が適正な範囲を超えて小さくなる。このとき、変倍時におけるレンズ群Ｇａの移動量が大きくなるため、当該ズームレンズの小型化を図ることが困難になる。
【００７６】
これらの効果を得る上で、条件式（８）の下限値は、０．５０であることがより好ましく、０．６０であることがさらに好ましく、０．６５であることが一層好ましく、０．７０であることがより一層好ましい。また条件式（８）の上限値は、３．５０であることがより好ましく、３．００であることがさらに好ましく、２．７０であることが一層好ましく、２．５０であることがより一層好ましく、２．００であることがさらに一層好ましい。
【００７７】
１−３−９．条件式（９）
当該ズームレンズにおいて、レンズ群Ｇｐが、物体側から順に配置される、物体側部分レンズ群Ｇｐｆと、開口絞りと、正の屈折力を有する像側部分レンズ群Ｇｐｒとから構成されるとき、以下の条件式を満足することがより好ましい。
【００７８】
Ｆｐｒ／｜Ｆｐｆ｜  ＜  ２．５０  ・・・（９）
但し、
Ｆｐｆ  ：  物体側部分レンズ群Ｇｐｆの焦点距離
Ｆｐｒ  ：  像側部分レンズ群Ｇｐｒの焦点距離
【００７９】
上記条件式（９）は、像側部分レンズ群Ｇｐｒの焦点距離と物体側部分レンズ群Ｇｐｆの焦点距離との比を規定する式である。条件式（９）を満足することで、当該ズームレンズの大型化を抑制しつつ、光学性能の高いズームレンズを実現することができる。
【００８０】
これに対して、条件式（９）の数値が上限値以上になると、物体側部分レンズ群Ｇｐｆの屈折力に対して像側部分レンズ群Ｇｐｒの屈折力が適正な範囲を超えて小さくなる。この場合、開口絞り径及びレンズ群Ｇｐの像側に配置されるレンズ群の径を小さくすることが困難になり、当該ズームレンズの小型化を図ることが困難になる。
【００８１】
これらの効果を得る上で、条件式（９）の上限値は、２．２０であることがより好ましく、２．００であることがさらに好ましく、１．７０であることが一層好ましく、１．５０であることがより一層好ましく、１．００であることがさらに一層好ましく、０．５０であることがさらに一層好ましく、０．３０であることがさらに一層好ましい。
【００８２】
なお、条件式（９）の下限値は特に限定されるものではないが、下限値を設けるとすれば、０．００１であることがより好ましく、０．００５であることがさらに好ましく、０．０１０であることが一層好ましく、０．０１５であることがより一層好ましい。条件式（９）の数値がこれら下限値以下である場合、物体側部分レンズ群Ｇｐｆの屈折力に対して像側部分レンズ群Ｇｐｒの屈折力が適正な範囲を超えて大きくなる。その場合、像側部分レンズ群Ｇｐｒにおける諸収差の発生量が大きくなり、像側部分レンズ群Ｇｐｒにおいて発生した諸収差を像側部分レンズ群Ｇｐｒよりも像側に配置されるレンズ群により補正することが困難になる。そのため、光学性能の高いズームレンズを実現するには、収差補正のためにレンズ枚数を増やす必要があり、当該ズームレンズの小型化を図ることが困難になる。
【００８３】
１−３−１０．条件式（１０）
０．０５  ＜  αｎ２ｔ／αｎ１ｔ  ＜  ０．５０  ・・・（１０）
但し、
αｎ１ｔ  ＝  ｜｛１−（βｎ１ｔ×βｎ１ｔ）｝×βｎ１ｒｔ×βｎ１ｒｔ｜
αｎ２ｔ  ＝  ｜｛１−（βｎ２ｔ×βｎ２ｔ）｝×βｎ２ｒｔ×βｎ２ｒｔ｜
βｎ１ｔ  ：  前記レンズ群Ｇｎ１の望遠端無限遠合焦時における横倍率
βｎ２ｔ  ：  前記レンズ群Ｇｎ２の望遠端無限遠合焦時における横倍率
βｎ１ｒｔ：  前記レンズ群Ｇｎ１より像側に配置される全レンズ群の望遠端無限遠合焦時における合成横倍率
βｎ２ｒｔ  ：  前記レンズ群Ｇｎ２より像側に配置される全レンズ群の望遠端無限遠合焦時における合成横倍率
【００８４】
上記条件式（１０）は、レンズ群Ｇｎ２の望遠端無限遠合焦時におけるフォーカス敏感度とレンズ群Ｇｎ１の望遠端無限遠合焦時におけるフォーカス敏感度とを規定する式である。条件式（１０）を満足させることにより、当該ズームレンズの小型化を図りつつ、無限遠から近接物体への合焦に伴う諸収差の変動を抑制し、合焦域全域において良好な光学性能を実現することができる。
【００８５】
これに対して、条件式（１０）の数値が下限値以下になると、レンズ群Ｇｎ１の望遠端無限遠合焦時におけるフォーカス敏感度に対してレンズ群Ｇｎ２の望遠端無限遠合焦時におけるフォーカス敏感度が適正な範囲を超えて小さくなる。この場合、レンズ群Ｇｎ１における無限遠から近接物体への合焦に伴う諸収差の変動が大きくなるため、合焦域全域において諸収差を良好に補正することが困難になる。一方、条件式（１０）の数値が上限値以上になると、レンズ群Ｇｎ１の望遠端無限遠合焦時におけるフォーカス敏感度に対してレンズ群Ｇｎ２の望遠端無限遠合焦時におけるフォーカス敏感度が適正な範囲を超えて大きくなる。この場合、無限遠から近接物体への合焦に必要なレンズ群Ｇｎ１の移動量が大きくなり、レンズ群Ｇｎ１を駆動させるための機構の小型化が困難となる。そのため、当該ズームレンズの小型化を図ることが困難になる。
【００８６】
これらの効果を得る上で、条件式（１０）の下限値は、０．０７であることがより好ましく、０．１０であることがさらに好ましく、０．１３であることが一層好ましく、０．１５であることがより一層好ましい。また条件式（１０）の上限値は、０．４５であることがより好ましく、０．４０であることがさらに好ましく、０．３５であることが一層好ましく、０．３０であることがより一層好ましい。
【００８７】
１−３−１１．条件式（１１）
０．０５  ＜  ｜Ｆｎ１｜／Ｆｔ  ＜  ０．５０  ・・・（１１）
但し、
Ｆｎ１：  レンズ群Ｇｎ１の焦点距離
Ｆｔ  ：  当該ズームレンズの望遠端における焦点距離
【００８８】
上記条件式（１１）は、レンズ群Ｇｎ１の焦点距離と当該ズームレンズの望遠端における焦点距離との比を規定する式である。条件式（１１）を満足させることにより、当該ズームレンズの大型化を抑制しつつ、光学性能の高いズームレンズを実現することができる。
【００８９】
これに対して、条件式（１１）の数値が下限値以下になると、当該ズームレンズの望遠端における焦点距離に対してレンズ群Ｇｎ１の屈折力が大きくなりすぎてしまい、無限遠から近接物体への合焦におけるレンズ群Ｇｎ１の移動量が適正な範囲を超えて小さくなる。この場合、レンズ群Ｇｎ１の駆動制御を高精度で行う必要があり、レンズ群Ｇｎ１を駆動させるための機構を小型化することが困難となる。一方、条件式（１１）の数値が上限値以上になると、無限遠から近接物体への合焦に必要なレンズ群Ｇｎ１の移動量が大きくなり、レンズ群Ｇｎ１を駆動させるための機構の小型化が困難となる。そのため、当該ズームレンズの小型化を図ることが困難になる。
【００９０】
これらの効果を得る上で、条件式（１１）の下限値は、０．０８であることがより好ましく、０．１１であることがさらに好ましく、０．１３であることが一層好ましく、０．１５であることがより一層好ましい。また条件式（１１）の上限値は、０．４５であることがより好ましく、０．４０であることがさらに好ましく、０．３５であることが一層好ましく、０．３０であることがより一層好ましい。
【００９１】
１−３−１２．条件式（１２）
０．０５  ＜  ｜Ｆｎ２｜／Ｆｔ  ＜  ０．７０  ・・・（１２）
Ｆｎ２：  レンズ群Ｇｎ２の焦点距離
Ｆｔ  ：  当該ズームレンズの望遠端における焦点距離
【００９２】
上記条件式（１２）は、レンズ群Ｇｎ２の焦点距離と当該ズームレンズの望遠端における焦点距離との比を規定する式である。条件式（１２）を満足することで、当該ズームレンズの大型化を抑制しつつ、光学性能の高いズームレンズを実現することができる。
【００９３】
これに対して、条件式（１２）の数値が下限値以下になると、当該ズームレンズの望遠端における焦点距離に対してレンズ群Ｇｎ２の屈折力が大きくなりすぎてしまい、無限遠から近接物体への合焦におけるレンズ群Ｇｎ２の移動量が適正な範囲を超えて小さくなる。この場合、レンズ群Ｇｎ２の駆動制御を高精度で行う必要があり、レンズ群Ｇｎ２を駆動させるための機構を小型化することが困難となる。一方、条件式（１２）の数値が上限値以上になると、無限遠から近接物体への合焦に必要なレンズ群Ｇｎ２の移動量が大きくなり、レンズ群Ｇｎ２を駆動させるための機構の小型化が困難となる。そのため、当該ズームレンズの小型化を図ることが困難になる。
【００９４】
これらの効果を得る上で、条件式（１２）の下限値、は０．０８であることがより好ましく、０．１１であることがさらに好ましく、０．１３であることが一層好ましく、０．１５であることがより一層好ましい。また条件式（１２）の上限値は、０．６０であることがより好ましく、０．５０であることがさらに好ましく、０．４０であることが一層好ましく、０．３５であることがより一層好ましい。
【００９５】
１−３−１３．条件式（１３）
０．４０  ＜  Ｒ１ｆ／Ｆｔ  ・・・（１３）
但し、
Ｒ１ｆ：  レンズ群Ｇ１の最も物体側面の曲率半径
Ｆｔ  ：  当該ズームレンズの望遠端における焦点距離
【００９６】
上記条件式（１３）は、レンズ群Ｇ１の最も物体側面の曲率半径と当該ズームレンズの望遠端における焦点距離との比を規定する式である。なお、条件式（１３）が正の値を取ることから、レンズ群Ｇ１の最も物体側面は物体側に凸の形状もしくは平面であることを示す。条件式（１３）を満足させることにより、諸収差、特に歪曲収差と像面湾曲とを良好に補正することができる。
【００９７】
これに対して、条件式（１３）の数値が下限値以下になると、当該ズームレンズの望遠端における焦点距離に対してレンズ群Ｇ１の最も物体側面の曲率半径が小さくなりすぎてしまい、諸収差、特に歪曲収差と像面湾曲とを良好に補正することが困難になる。
【００９８】
これらの効果を得る上で、条件式（１３）の下限値は０．５０であることがより好ましく、０．６０であることがさらに好ましく、０．７０であることが一層好ましく、０．７５であることがより一層好ましい。また条件式（１３）の上限値は特に限定されるものではないが、上限値を設けるとすれば、１００であることがより好ましく、５０であることがさらに好ましく、２５であることが一層好ましく、１０であることがより一層好ましい。
【００９９】
１−３−１４．条件式（１４）
０．５＜（Ｒｎ１ｆ＋Ｒｎ１ｒ）／（Ｒｎ１ｆ−Ｒｎ１ｒ）＜５．０・・・（１４）
但し、
Ｒｎ１ｆ  ：  レンズ群Ｇｎ１の最も物体側面の曲率半径
Ｒｎ１ｒ  ：  レンズ群Ｇｎ１の最も像側面の曲率半径
【０１００】
上記条件式（１４）は、レンズ群Ｇｎ１の最も物体側面の曲率半径と最も像側面の曲率半径との比を規定する式である。条件式（１４）を満足させることにより、諸収差、特に球面収差の補正を良好に行うことが可能になる。そのため、無限遠から近接物体への合焦に伴う諸収差の変動を良好に補正することができる。
【０１０１】
これに対して、条件式（１４）の数値が下限値以下又は上限値以上になると、レンズ群Ｇｎ１の最も物体側面又は最も像側面における諸収差、特に球面収差の発生量が大きくなりすぎてしまい、無限遠から近接物体への合焦に伴う諸収差の変動を良好に補正することが困難となる。
【０１０２】
これらの効果を得る上で、条件式（１４）の下限値は０．７であることがより好ましく、０．９であることがさらに好ましく、１．１であることが一層好ましく、１．２であることがより一層好ましい。また条件式（１４）の上限値は４．０であることがより好ましく、３．５であることがさらに好ましく、３．０であることが一層好ましく、２．５であることがより一層好ましい。
【０１０３】
１−３−１５．条件式（１５）
０．１０  ＜  ＢＦｔ／Ｆｒ  ＜    １．５０  ・・・（１５）
但し、
ＢＦｔ：  望遠端におけるレンズ群Ｇｒの最も像側面から結像面までの光軸上の長さ
Ｆｒ  ：  レンズ群Ｇｒの焦点距離
【０１０４】
上記条件式（１５）は、望遠端におけるレンズ群Ｇｒの最も像側面から結像面までの光軸上の長さ（バックフォーカス）とレンズ群Ｇｒの焦点距離との比を規定する式である。条件式（１５）を満足させることにより、当該ズームレンズのバックフォーカスを適正な長さにすることができる。
【０１０５】
これに対して、条件式（１５）の数値が下限値以下になると、バックフォーカスが短くなりすぎてしまい、レンズ群Ｇｎ１およびレンズ群Ｇｎ２を駆動するための機構を鏡筒内の適切な位置に配置することが困難になる。一方、条件式（１５）の数値が上限値以上になると、バックフォーカスが長くなりすぎてしまい、当該ズームレンズの小型化を図ることが困難になる。
【０１０６】
これらの効果を得る上で、条件式（１５）の下限値は、０．１５であることがより好ましく、０．２０であることがさらに好ましく、０．２４であることが一層好ましく、０．２７であることがより一層好ましい。また条件式（１５）の上限値は、１．３０であることがより好ましく、１．１０であることがさらに好ましく、０．９０であることが一層好ましく、０．８５であることがより一層好ましい。
【０１０７】
１−３−１６．条件式（１６）
０．１０  ＜  Ｆｒ／Ｆｔ  ＜    ０．５０  ・・・（１６）
但し、
Ｆｒ  ：  レンズ群Ｇｒの焦点距離
Ｆｔ  ：  当該ズームレンズの望遠端における焦点距離
【０１０８】
上記条件式（１６）は、レンズ群Ｇｒの焦点距離と当該ズームレンズの望遠端における焦点距離との比を規定する式である。条件式（１６）を満足させることにより、当該ズームレンズの大型化を抑制しつつ、光学性能の高いズームレンズを実現することができる。
【０１０９】
これに対して、条件式（１６）の数値が下限値以下になると、当該ズームレンズの望遠端における焦点距離に対してレンズ群Ｇｒの屈折力が適正な範囲を超えて大きくなる。この場合、レンズ群Ｇｒにおける諸収差の発生を抑制することが困難となる。一方、条件式（１６）の数値が上限値以上になると、当該ズームレンズの望遠端における焦点距離に対してレンズ群Ｇｒの屈折力が適正な範囲を超えて小さくなる。この場合、当該ズームレンズの光学全長が長くなるため、当該ズームレンズの小型化を図ることが困難になる。
【０１１０】
これらの効果を得る上で、条件式（１６）の下限値は、０．１３であることがより好ましく、０．１６であることがさらに好ましく、０．１８であることが一層好ましく、０．２０であることがより一層好ましい。また条件式（１６）の上限値は、０．４５であることがより好ましく、０．４２であることがさらに好ましく、０．４０であることが一層好ましく、０．３７であることがより一層好ましく、０．３０であることがさらに一層好ましい。
【０１１１】
１−３−１７．条件式（１７）
当該ズームレンズにおいて、レンズ群Ｇ１は以下の条件を満足する正レンズＬ１ｐを少なくとも１枚有することが好ましい。
【０１１２】
６０  ＜  ν１ｐ  ＜  １１０  ・・・（１７）
但し、
ν１ｐ  ：  レンズ群Ｇ１に含まれる正レンズＬ１ｐのｄ線におけるアッベ数
【０１１３】
レンズ群Ｇ１が上記条件式（１７）を満足する正レンズＬ１ｐを少なくとも１枚有することにより、当該ズームレンズの大型化を抑制しつつ、レンズ群Ｇ１で発生する色収差を抑制することができる。ここで、レンズ群Ｇ１は上記正レンズＬ１ｐを１枚以上有することが好ましく、レンズ群Ｇ１に含まれる正レンズが全て当該正レンズＬ１ｐであってもよい。
【０１１４】
これに対して、レンズ群Ｇ１に含まれる正レンズが全て条件式（１７）の下限値以下であると、レンズ群Ｇ１で発生する色収差の抑制が困難となる。そのため、光学性能の高いズームレンズを実現するには、色収差の補正のためのレンズ枚数を増やす必要があり、当該ズームレンズの小型化を図ることが困難になる。一方、レンズ群Ｇ１に含まれる全ての正レンズが条件式（１７）の上限値以上であると、レンズ群Ｇ１において発生する色収差が過剰補正となるため、好ましくない。
【０１１５】
これらの効果を得る上で、条件式（１７）の下限値は、６５であることがより好ましく、７０であることがさらに好ましく、７４であることが一層好ましく、７７であることがより一層好ましい。また条件式（１７）の上限値は、１００であることがより好ましく、９６であることがさらに好ましく、９２であることが一層好ましく、８５であることがより一層好ましい。
【０１１６】
１−３−１８．条件式（１８）
当該ズームレンズにおいて、レンズ群Ｇ１は以下の条件を満足する負レンズＬ１ｎを少なくとも１枚有することが好ましい。
【０１１７】
１５  ＜  ν１ｎ  ＜  ５５  ・・・（１８）
但し、
ν１ｎ  ：  レンズ群Ｇ１に含まれる負レンズＬ１ｎのｄ線におけるアッベ数
【０１１８】
レンズ群Ｇ１が上記条件式（１８）を満足する負レンズＬ１ｎを少なくとも１枚有することにより、当該ズームレンズの大型化を抑制しつつ、レンズ群Ｇ１で発生する色収差を抑制することができる。ここで、レンズ群Ｇ１は上記負レンズＬ１ｎを１枚以上有することが好ましく、レンズ群Ｇ１に含まれる負レンズが全て当該負レンズＬ１ｎであってもよい。
【０１１９】
これに対して、レンズ群Ｇ１が条件式（１８）を満足する負レンズＬ１ｎを１枚も有さない場合、当該レンズ群Ｇ１で発生する色収差の補正が困難となり、光学性能の高いズームレンズを実現するには色収差の補正のためにレンズ枚数を増やす必要があり、当該ズームレンズの小型化を図ることが困難になる。なお、レンズ群Ｇ１に含まれる全ての負レンズが上記条件式（１８）の下限値以下である場合、レンズ群Ｇ１において発生した色収差が過剰補正となる。一方、レンズ群Ｇ１に含まれる全ての負レンズが条件式（１８）の上限値以上である場合、レンズ群Ｇ１で発生する色収差の抑制が困難となる。
【０１２０】
これらの効果を得る上で、条件式（１８）の下限値は、１９であることがより好ましく、２２であることがさらに好ましく、２５であることが一層好ましく、２８であることがより一層好ましい。また条件式（１８）の上限値は、５０であることがより好ましく、４８であることがさらに好ましく、４５であることが一層好ましく、４３であることがより一層好ましい。
【０１２１】
１−３−１９．条件式（１９）
当該ズームレンズにおいて、レンズ群Ｇｂは以下の条件を満足する正レンズＬｂｐを少なくとも１枚有することが好ましい。
【０１２２】
１．６５  ＜  Ｎｂｐ  ＜  ２．１０  ・・・（１９）
但し、
Ｎｂｐ  ：  レンズ群Ｇｂに含まれる正レンズＬｂｐのｄ線における屈折率
【０１２３】
レンズ群Ｇｂが上記条件式（１９）を満足する正レンズＬｂｐを少なくとも１枚有することにより、当該ズームレンズの大型化を抑制しつつ、レンズ群Ｇｂｐにおける諸収差、特に球面収差を良好に補正することができる。なお、レンズ群Ｇｂには上記正レンズＬｂｐが複数枚含まれていてもよいが、より好ましくはレンズ群Ｇｂに含まれる正レンズＬｂｐは１枚である。
【０１２４】
これに対して、レンズ群Ｇｂに含まれる正レンズのｄ線における屈折率が全て条件式（１９）の下限値以下である場合、レンズ群Ｇｂにおける諸収差、特に球面収差の補正が困難となり、光学性能の高いズームレンズを実現するには収差補正のためにレンズ枚数を増やしたり、レンズ肉厚を増やす必要があり、当該ズームレンズの小型化を図ることが困難になる。レンズ群Ｇｂに含まれる正レンズのｄ線における屈折率が全て条件式（１９）が上限値以上になると、それらの正レンズの硝材は一般的に分散が大きいため、色収差の補正が困難になる。
【０１２５】
これらの効果を得る上で、条件式（１９）の下限値は、１．７０であることがより好ましく、１．７５であることがさらに好ましく、１．７８であることが一層好ましく、１．８１であることがより一層好ましい。また条件式（１９）の上限値は、２．０５であることがより好ましく、２．０１であることがさらに好ましく、１．９８であることが一層好ましく、１．９７であることがより一層好ましい。
【０１２６】
１−３−２０．条件式（２０）
当該ズームレンズにおいて、レンズ群Ｇｎ１は以下の条件を満足する負レンズＬｎ１ｎを少なくとも１枚有することが好ましい。
【０１２７】
２５  ＜  νｎ１ｎ  ＜  ８５  ・・・（２０）
但し、
νｎ１ｎ  ：  レンズ群Ｇｎ１に含まれる負レンズＬｎ１ｎのｄ線におけるアッベ数
【０１２８】
レンズ群Ｇｎ１が条件式（２０）を満足する負レンズＬｎ１ｎを少なくとも１枚有することにより、無限遠から近接物体への合焦に伴う諸収差の変動を良好に補正することができる。ここで、レンズ群Ｇｎ１は上記負レンズＬｎ１ｎを１枚以上有することが好ましく、レンズ群Ｇｎ１に含まれる負レンズが全て当該負レンズＬｎ１ｎであってもよい。
【０１２９】
これに対して、レンズ群Ｇｎ１に含まれる負レンズのｄ線におけるアッベ数が全て条件式（２０）の下限値以下であると、無限遠から近接物体への合焦に伴う色収差の変動が大きくなる。そのため、合焦域全域において良好な光学性能を実現することが困難になる。レンズ群Ｇｎ１に含まれる負レンズのｄ線におけるアッベ数が全て条件式（２０）の上限値以上になると、それらの負レンズの硝材は一般的に屈折率が小さいため、レンズ群Ｇ１に配置する屈折力を確保するには、負レンズＬｎ１ｎの面の曲率半径を小さくする必要がある。そのため、無限遠から近接物体への合焦に伴う諸収差、特に球面収差の変動が大きくなり、この場合も合焦域全域において良好な光学性能を実現することが困難になる。
【０１３０】
これらの効果を得る上で、条件式（２０）の下限値は、３０であることがより好ましく、３５であることがさらに好ましく、４０であることが一層好ましく、４４であることがより一層好ましく、４７であることがさらに一層好ましい。また条件式（２０）の上限値は、８０であることがより好ましく、７５であることがさらに好ましく、７２であることが一層好ましく、６８であることがより一層好ましい。
【０１３１】
１−３−２１．条件式（２１）
０．００５  ＜  Ｄｎ１／｜Ｆｎ１｜  ＜  ０．３００  ・・・（２１）
但し、
Ｄｎ１  ：  レンズ群Ｇｎ１の光軸上の長さ
Ｆｎ１  ：  レンズ群Ｇｎ１の焦点距離
【０１３２】
上記条件式（２１）は、レンズ群Ｇｎ１の光軸上の長さとレンズ群Ｇｎ１の焦点距離との比を規定する式である。条件式（２１）を満足させることにより、当該ズームレンズの小型化を図りつつ、無限遠から近接物体への合焦に伴う諸収差の変動を良好に補正することができる。
【０１３３】
これに対して、条件式（２１）の数値が下限値以下になると、レンズ群Ｇｎ１の焦点距離に対してレンズ群Ｇｎ１の光軸上の長さが適正な範囲を超えて短くなりすぎてしまう。レンズ群Ｇｎ１の屈折力を大きくするためには屈折率の高い硝材を用いる必要がある。しかしながら、このような硝材は一般的に比重が大きいため、レンズ群Ｇ１が重くなる。そのため、レンズ群Ｇｎ１を駆動させるための機構の小型化が困難になり、当該ズームレンズユニット全体の小型化を図ることが困難となる。また、レンズ群Ｇｎ１の屈折力を大きくするためにはレンズ群Ｇｎ１の面の曲率半径を小さくする必要がある。この場合、無限遠から近接物体への合焦に伴う諸収差の変動が大きくなる。一方、条件式（２１）の数値が上限値以上になると、レンズ群Ｇｎ１の焦点距離に対してレンズ群Ｇｎ１の光軸上の長さが長くなりすぎてしまい、レンズ群Ｇｎ１の質量が増加する。この場合、レンズ群Ｇｎ１を駆動させるための機構の小型化が困難になり、当該ズームレンズの小型化を図る上で好ましくない。
【０１３４】
これらの効果を得る上で、条件式（２１）の下限値は、０．００７であることがより好ましく、０．００９であることがさらに好ましく、０．０１１であることが一層好ましく、０．０１３であることがより一層好ましい。また条件式（２１）の上限値は、０．２５０であることがより好ましく、０．２００であることがさらに好ましく、０．１５０であることが一層好ましく、０．１２０であることがより一層好ましい。
【０１３５】
１−３−２２．条件式（２２）
０．００５  ＜  Ｄｎ２／｜Ｆｎ２｜  ＜  ０．１５０  ・・・（２２）
但し、
Ｄｎ２  ：  レンズ群Ｇｎ２の光軸上の長さ
Ｆｎ２  ：  レンズ群Ｇｎ２の焦点距離
【０１３６】
上記条件式（２２）は、レンズ群Ｇｎ２の光軸上の長さとレンズ群Ｇｎ２の焦点距離との比を規定する式である。条件式（２２）を満足することで、当該ズームレンズの小型化を図りつつ、無限遠から近接物体への合焦に伴う諸収差の変動を良好に補正することができる。
【０１３７】
これに対して、条件式（２２）の数値が下限値以下になると、レンズ群Ｇｎ２の焦点距離に対してレンズ群Ｇｎ２の光軸上の長さが適正な範囲を超えて短くなりすぎてしまう。レンズ群Ｇｎ２の屈折力を大きくするためには屈折率の高い硝材を用いる必要がある。しかしながら、このような硝材は一般的に比重が大きいため、レンズ群Ｇ１が重くなる。そのため、レンズ群Ｇｎ２を駆動させるための機構の小型化が困難になり、当該ズームレンズユニット全体の小型化を図ることが困難となる。また、レンズ群Ｇｎ２の屈折力を大きくするためにはレンズ群Ｇｎ２の面の曲率半径を小さくする必要がある。この場合、無限遠から近接物体への合焦に伴う諸収差の変動が大きくなる。一方、条件式（２２）の数値が上限以上になると、レンズ群Ｇｎ２の焦点距離に対してレンズ群Ｇｎ２の光軸上の長さが長くなりすぎてしまい、レンズ群Ｇｎ２の質量が増加する。この場合、レンズ群Ｇｎ２を駆動させるための機構の小型化が困難になり、当該ズームレンズの小型化を図る上で好ましくない。
【０１３８】
これらの効果を得る上で、条件式（２２）の下限値は、０．００７であることがより好ましく、０．００９であることがさらに好ましく、０．０１１であることが一層好ましく、０．０１３であることがより一層好ましい。また条件式（２２）の上限値は、０．１２０であることがより好ましく、０．０９０であることがさらに好ましく、０．０６０であることが一層好ましく、０．０４０であることがより一層好ましい。
【０１３９】
１−３−２３．条件式（２３）
０．０８  ＜  Ｄ１２ｔ／ＴＬｗ  ＜    ０．５０  ・・・（２３）
但し、
Ｄ１２ｔ  ：  望遠端におけるレンズ群Ｇ１の最も像側面からレンズ群Ｇａの最も物体側面の光軸上の長さ
ＴＬｗ  ：  広角端における当該ズームレンズの光学全長
【０１４０】
上記条件式（２３）は、望遠端におけるレンズ群Ｇ１の最も像側面からレンズ群Ｇａの最も物体側面の光軸上の長さと広角端における当該ズームレンズの光学全長との比を規定する式である。条件式（２３）を満足させることにより、当該ズームレンズ大型化を抑制しつつ、光学性能の高いズームレンズを実現することができる。また、沈胴式の鏡筒構成を採用し、レンズ群Ｇ１を像側へ沈胴させる場合、不使用時における鏡筒長を短くすることができ、当該ズームレンズユニット全体の小型化を図ることができる。
【０１４１】
これに対して、条件式（２３）の数値が下限値以下になると、広角端から望遠端への変倍に伴うレンズ群Ｇａの移動量が適正な範囲を超えて小さくなりすぎてしまい、変倍に伴う収差変動を抑制することが困難になる。一方、条件式（２３）の数値が上限値以上になると、広角端から望遠端への変倍に伴うレンズ群Ｇａの移動量が適正な範囲を超えて大きくなりすぎてしまう。そのため、当該ズームレンズの光学全長が長くなることから、当該ズームレンズの小型化を図る上で好ましくない。
【０１４２】
これらの効果を得る上で、条件式（２２）の下限値は、０．１０であることがより好ましく、０．１２であることがさらに好ましく、０．１４であることが一層好ましく、０．１５であることがより一層好ましい。また条件式（２２）の上限値は、０．４５であることがより好ましく、０．４０であることがさらに好ましく、０．３５であることが一層好ましく、０．３２であることがより一層好ましい。
【０１４３】
当該ズームレンズにおいて、レンズ群Ｇ１とレンズ群Ｇｐとの間に負の屈折力を有するレンズ群が複数存在する場合、レンズ群Ｇａの像側にレンズ群Ｇｂが存在する限り、負の屈折力を有するレンズ群であればどのレンズ群がレンズ群Ｇａであってもよい。そして、レンズ群Ｇａとみなし得るレンズ群のいずれか一以上がレンズ群Ｇａに関する好ましい条件（条件式等、以下同じ）を満たすことが好ましい。同様に、レンズ群Ｇ１とレンズ群Ｇｐとの間に正又は負のレンズ群が複数存在する場合、レンズ群Ｇｂの物体側に負の屈折力を有するレンズ群Ｇａが存在する限り、どのレンズ群がレンズ群Ｇｂであってもよい。そして、レンズ群Ｇｂとみなし得るレンズ群のいずれか一以上がレンズ群Ｇｂに関する好ましい条件を満たすことが好ましい。その他のレンズ群（Ｇｐ，Ｇｎ１，Ｇｎ２等）についても、当該ズームレンズにそれらのレンズ群とみなし得るレンズ群が複数存在する場合には、そのいずれか一以上が各レンズ群に関する好ましい条件を満たすことが好ましい。
【０１４４】
２．撮像装置
次に、本件発明に係る撮像装置について説明する。本件発明に係る撮像装置は、上記本件発明に係るズームレンズと、当該ズームレンズの像面側に設けられた、当該ズームレンズによって形成された光学像を電気的信号に変換する撮像素子とを備えたことを特徴とする。
【０１４５】
ここで、撮像素子等に特に限定はなく、ＣＣＤ（Charge Coupled Device）センサやＣＭＯＳ（Complementary Metal Oxide Semiconductor）センサなどの固体撮像素子等も用いることができる。本件発明に係る撮像装置は、デジタルカメラやビデオカメラ等のこれらの固体撮像素子を用いた撮像装置に好適である。また、当該撮像装置は、レンズが筐体に固定されたレンズ固定式の撮像装置であってもよいし、一眼レフカメラやミラーレス一眼カメラ等のレンズ交換式の撮像装置であってもよいのは勿論である。特に、本件発明に係るズームレンズは交換レンズシステムに好適なバックフォーカスを確保することができる。そのため、光学式ファインダーや、位相差センサ、これらに光を分岐するためのリフレックスミラー等を備えた一眼レフカメラ等の撮像装置に好適である。
【０１４６】
本件発明の撮像装置は、撮像素子により取得した撮像画像データを電気的に加工して、撮像画像の形状を変化させる画像処理部や、当該画像処理部において撮像画像データを加工するために用いる画像補正データ、画像補正プログラム等を保持する画像補正データ保持部等を有することがより好ましい。ズームレンズを小型化した場合、結像面において結像された撮像画像形状の歪み（歪曲）が生じやすくなる。その際、画像補正データ保持部に予め撮像画像形状の歪みを補正するための歪み補正データを保持させておき、上記画像処理部において、画像補正データ保持部に保持された歪み補正データを用いて、撮像画像形状の歪みを補正することが好ましい。このような撮像装置によれば、ズームレンズの小型化をより一層図ることができ、秀麗な撮像画像を得ると共に、撮像装置全体の小型化を図ることができる。
【０１４７】
さらに、本件発明に係る撮像装置において、上記画像補正データ保持部に予め倍率色収差補正データを保持させておき、上記画像処理部において、画像補正データ保持部に保持された倍率色収差補正データを用いて、当該撮像画像の倍率色収差補正を行わせることが好ましい。画像処理部により、倍率色収差、すなわち、色の歪曲収差を補正することで、光学系を構成するレンズ枚数を削減することが可能になる。そのため、このような撮像装置によれば、ズームレンズの小型化をより一層図ることができ、秀麗な撮像画像を得ると共に、撮像装置全体の小型化を図ることができる。
【０１４８】
次に、実施例を示して本件発明を具体的に説明する。但し、本件発明は以下の実施例に限定されるものではない。
【実施例１】
【０１４９】
（１）ズームレンズの光学構成
図１に、本件発明に係る実施例１のズームレンズのレンズ断面図を示す。なお、図中に示す「ＩＭＧ」は結像面であり、具体的にはＣＣＤセンサ、ＣＭＯＳセンサ等の固体撮像素子の撮像面、或いは、銀塩フィルムのフィルム面等を表す。また、結像面ＩＭＧの物体側にはカバーガラス「ＣＧ」等の実質的な屈折力を有さない平行平板を備える。これらの点は、他の実施例で示す各レンズ断面図においても同様であるため、以下では説明を省略する。
【０１５０】
実施例１のズームレンズは、物体側から順に、正の屈折力を有するレンズ群Ｇ１と、負の屈折力を有するレンズ群Ｇａと、正の屈折力を有するレンズ群Ｇｂと、正の屈折力を有するレンズ群Ｇｐと、負の屈折力を有するレンズ群Ｇｎ１と、負の屈折力を有するレンズ群Ｇｎ２と、正の屈折力を有するレンズ群Ｇｒとから構成されている。
【０１５１】
以下、各レンズ群の構成を説明する。レンズ群Ｇ１は、物体側から順に、物体側凸のメニスカス形状の負レンズＬ１及び両凸形状の正レンズＬ２が接合された接合レンズと、物体側凸のメニスカス形状の正レンズＬ３とから構成される。両凸形状の正レンズＬ２が本件発明にいう上記正レンズＬ１ｐであり、物体側凸のメニスカス形状の負レンズＬ１が本件発明にいう上記負レンズＬ１ｎである。
【０１５２】
レンズ群Ｇａは、物体側から順に、物体側凹のメニスカス形状の正レンズＬ４及び両凹形状の負レンズＬ５が接合された接合レンズと、両凹形状の負レンズＬ６及び物体側凸のメニスカス形状の正レンズＬ７が接合された接合レンズと、両凹形状の負レンズＬ８とから構成される。両凹形状の負レンズＬ６が本件発明にいう上記負レンズＬａｎである。
【０１５３】
レンズ群Ｇｂは、物体側から順に、両凸形状の正レンズＬ９と、両凸形状の正レンズＬ１０及び両凹形状の負レンズＬ１１が接合された接合レンズとから構成される。両凸形状の正レンズＬ９が本件発明にいう上記正レンズＬｂｐである。
【０１５４】
レンズ群Ｇｐは、物体側から順に、両凸形状の正レンズＬ１２及び両凹形状の負レンズＬ１３が接合された接合レンズから構成される物体側部分レンズ群Ｇｐｆと、開口絞りＳと、物体側から順に、物体側凸のメニスカス形状の正レンズＬ１４と、物体側凸のメニスカス形状の負レンズＬ１５及び両凸形状の正レンズＬ１６が接合された接合レンズとから構成される像側部分レンズ群Ｇｐｒとから構成される。物体側凸のメニスカス形状の正レンズＬ１４の像側面は非球面である。
【０１５５】
レンズ群Ｇｎ１は、物体側から順に、両凸形状の正レンズＬ１７及び両凹形状の負レンズＬ１８が接合された接合レンズから構成される。両凹形状の負レンズＬ１８が本件発明にいう上記負レンズＬｎ１ｎである。
【０１５６】
レンズ群Ｇｎ２は、両凹形状の負レンズＬ１９から構成される。両凹形状の負レンズＬ１９の像側面は非球面である。
【０１５７】
レンズ群Ｇｒは、物体側から順に、両凸形状の正レンズＬ２０と、物体側凹のメニスカス形状の負レンズＬ２１とから構成される。物体側凹のメニスカス形状の負レンズＬ２１の両面は非球面である。
【０１５８】
レンズ群Ｇａ、レンズ群Ｇｂ、レンズ群Ｇｎ１及びレンズ群Ｇｎ２は変倍時に光軸上を移動する可動群であり、レンズ群Ｇ１及びレンズ群Ｇｐ及びレンズ群Ｇｒは変倍時に像面に対して固定される固定群である。具体的には、広角端から望遠端への変倍に際し、レンズ群Ｇ１は像面に対して固定され、レンズ群Ｇａは像側に移動し、レンズ群Ｇｂは像側に移動し、レンズ群Ｇｐは像面に対して固定され、レンズ群Ｇｎ１は物体側に凹の軌道で移動し、レンズ群Ｇｎ２は像側に移動し、レンズ群Ｇｒは像面に対して固定される。
【０１５９】
また、無限遠から近接物体への合焦に際し、レンズ群Ｇｎ１及びレンズ群Ｇｎ２が光軸上を互いに異なる軌道で移動する。具体的には、像面に対して、レンズ群Ｇｎ１が像側へ移動し、レンズ群Ｇｎ２が物体側へ移動し、他のレンズ群が固定されることにより無限遠から近接物体へ合焦する。
【０１６０】
（２）数値実施例
次に、当該ズームレンズの具体的数値を適用した数値実施例について説明する。表１に、本件発明に係る実施例１のズームレンズの面データを示す（表１における第３９面及び第４０面はカバーガラスＣＧの面データである。）。表１において、「面番号」は物体側から数えたレンズ面の順番、「ｒ」は曲率半径、「ｄ」は光軸上のレンズ厚さ又はレンズ間隔、「Ｎｄ」はｄ線（波長λ＝５８７．５６ｎｍ）における屈折率、「νｄ」はｄ線におけるアッベ数、「φ」はレンズの直径を示している。また、面番号の右側に表示する「ＡＳＰ」は当該レンズ面が非球面であることを表し、「Ｓ」は開口絞りを表している。なお、表中の長さの単位は全て「ｍｍ」であり、曲率半径の欄の「０．００００」は平面を意味する。
【０１６１】
表２は、当該ズームレンズの諸元表である。当該緒元表には、全系の焦点距離「ｆ」、Ｆナンバー「Ｆｎｏ」、半画角「ω」、像高「Ｙ」、光学全長「ＴＬ」を示す。但し、表２には、左側から順に、広角端、中間焦点距離位置、望遠端におけるそれぞれの値を示している。なお、表中の長さの単位は全て「ｍｍ」であり、画角の単位は全て「°」である。
【０１６２】
表３に、無限遠合焦時における当該ズームレンズの光軸上の可変間隔を示す。表３には、左側から順に、広角端、中間焦点距離位置、望遠端におけるそれぞれの値を示している。表３において、「ｆ」は当該ズームレンズ全系の焦点距離、「ＩＮＦ」は∞（無限大）を示す。さらに、レンズ間隔の欄に「Ｄ○○（○○には面番号が入る）」と示すのは、当該レンズ面の光軸上の間隔が変倍時又は合焦時に変化する可変間隔であることを意味する。なお、表中の長さの単位は全て「ｍｍ」である。
【０１６３】
表４に、近接物体への合焦時における当該ズームレンズの光軸上の可変間隔を示す。表４には、左側から順に、広角端、中間焦点距離位置、望遠端におけるそれぞれの値を示している。表４において、レンズ間隔の欄に「Ｄ○○（○○には面番号が入る）」と示すのは、当該レンズ面の光軸上の間隔が変倍時又は合焦時に変化する可変間隔であることを意味する。なお、表中の長さの単位は全て「ｍｍ」である。
【０１６４】
表５は、各非球面の非球面係数である。当該非球面係数は、各非球面形状を下記式で定義したときの値である。
【０１６５】
Ｘ（Ｙ）＝ＣＹ２／［１＋｛１−（１＋Κ）・Ｃ２Ｙ２｝１／２］＋Ａ４・Ｙ４＋Ａ６・Ｙ６＋Ａ８・Ｙ８＋Ａ１０・Ｙ１０＋Ａ１２・Ｙ１２
【０１６６】
但し、上記式において、「Ｘ」は光軸方向の基準面からの変位量、「Ｃ」は面頂点での曲率、「Ｙ」は光軸に垂直な方向の光軸からの高さ、「Κ」は円錐定数（コーニック係数）、「Ａｎ」はｎ次の非球面係数である。また、表５において「Ｅ−ｎ」は「×１０ｎ」を示す。
【０１６７】
また、表３６に条件式（１）〜条件式（２３）の値を示す。さらに、表３７に条件式（１）〜条件式（２３）の計算に用いた各値を示す。
【０１６８】
上述した各表に関する事項は他の実施例で示す各表においても同様であるため、以下では説明を省略する。
【０１６９】
［表１］
面番号        r          d        Nd      νd      φ
1           156.0994    1.500   1.80610   33.27   63.000
2            91.8450    7.033   1.43700   95.10   61.803
3         -2644.8503    0.200                     61.478
4            88.9714    6.164   1.49700   81.61   59.686
5           888.6115       D5                     59.000
6          -215.2406    2.242   1.92119   23.96   38.000
7          -112.5222    1.000   1.61340   44.27   37.576
8            68.0505    2.901                     35.749
9          -314.3287    1.000   1.49700   81.61   35.749
10           44.6649    4.586   1.85025   30.05   35.059
11          301.5327    1.920                     34.656
12         -106.5386    1.000   1.77250   49.62   34.655
13          132.0181      D13                     34.651
14          159.0533    4.537   1.90043   37.37   36.000
15          -81.5923    0.200                     36.025
16           61.8039    6.513   1.48749   70.44   34.411
17          -57.8175    1.000   1.95375   32.32   33.768
18          130.1908      D18                     33.071
19           69.3970    4.245   1.61997   63.88   32.695
20         -165.9285    1.000   1.90366   31.31   32.413
21          173.8525    1.942                     32.086
22   S        0.0000    2.676                     31.435
23           38.6846    4.552   1.59282   68.62   31.853
24          303.9537    0.200   1.51460   49.96   31.343
25   ASP   1823.7948    0.200                     31.305
26           57.1263    1.000   1.67790   55.34   30.423
27           22.4360    7.876   1.49700   81.61   28.468
28          -80.3923      D28                     28.000
29          112.2693    2.442   1.92286   20.88   24.340
30         -296.1091    1.000   1.74320   49.34   23.730
31           24.4865      D31                     22.000
32          -34.5722    1.000   1.54072   47.23   23.456
33          109.1691    0.200   1.51460   49.96   25.102
34   ASP     64.6713      D31                     25.185
35           41.8834    8.000   1.83481   42.74   27.000
36          -60.9839    4.220                     27.456
37   ASP    -46.9096    2.407   1.83441   37.28   26.824
38   ASP   -208.6541   31.137                     28.209
39            0.0000    2.500   1.51680   64.20   42.130
40            0.0000    1.000                     42.836
【０１７０】
［表２］
f            72.085   106.690   174.612
Fno           2.909     2.910     2.909
ω           17.035    11.317     6.826
Y            21.633    21.633    21.633
TL          199.042   199.042   199.042
【０１７１】
［表３］
f            72.085   106.690   174.612
撮影距離        INF       INF       INF
D5            2.206    29.054    60.000
D13          35.855    17.935     1.178
D18          24.118    15.189     1.000
D28           1.210     2.916     0.999
D31          14.765    13.405    15.470
D34           1.498     1.152     1.004
【０１７２】
［表４］
撮影距離   1000.000  1000.000  1000.000
D28           2.874     6.354     9.353
D31          12.063     8.609     5.462
D34           2.536     2.509     2.659
【０１７３】
［表５］
面番号      K         A4          A6          A8          A10         A12
25        0.0000  4.4599E-06 -1.9208E-09  1.5164E-12  4.6851E-15 -1.3347E-17
34        0.0000 -2.0721E-05  5.0196E-09 -8.0955E-11  3.5358E-13 -6.8426E-16
37        0.0000 -6.4424E-05  2.4030E-07 -3.5028E-10  4.1384E-13 -9.7531E-16
38        0.0000 -4.7225E-05  2.5702E-07 -5.3793E-10  8.1739E-13 -1.0193E-15
【０１７４】
また、図２に当該実施例１のズームレンズの広角端（図中（ａ）で示す）、及び、望遠端（図中（ｂ）で示す）における無限遠合焦時の縦収差図を示す。そして、図３に当該実施例１のズームレンズの広角端（図中（ａ）で示す）、及び、望遠端（図中（ｂ）で示す）における近接物体合焦時の縦収差図を示す。各図に示す縦収差図は、図面に向かって左側から順に、それぞれ球面収差（ｍｍ）、非点収差（ｍｍ）、歪曲収差（％）、倍率色収差（ｍｍ）である。
【０１７５】
球面収差図では、縦軸はＦナンバー（図中Ｆｎｏで示す）を表し、実線がｄ線（波長５８７．５６ｎｍ）における球面収差、短破線がＣ線（波長６５６．２８ｎｍ）における球面収差、長破線がｇ線（波長４３５．８４ｎｍ）における球面収差を示している。
【０１７６】
非点収差図では、縦軸に像高（図中Ｙで示す）をとり、実線がｄ線（波長５８７．５６ｎｍ）に対するサジタル像面（図中ΔＳで示す）における非点収差、破線がメリジオナル（タンジェンシャル）像面（図中ΔＭで示す）における非点収差を示している。
【０１７７】
歪曲収差図では、縦軸に像高（図中Ｙで示す）をとり、実線がｄ線（波長５８７．５６ｎｍ）における歪曲収差を示している。
【０１７８】
倍率色収差図では、縦軸に像高（図中Ｙで示す）をとり、短破線がｄ線（波長５８７．５６ｎｍ）基準におけるＣ線（波長６５６．２８ｎｍ）の倍率色収差、長破線がｄ線（波長５８７．５６ｎｍ）基準におけるｇ線（波長４３５．８４ｎｍ）の倍率色収差を示している。
【０１７９】
これらの縦収差図に関する事項は、他の実施例で示す縦収差図においても同様であるため、以下では説明を省略する。
【実施例２】
【０１８０】
（１）ズームレンズの光学構成
図４に、本件発明に係る実施例２のズームレンズのレンズ断面図を示す。実施例２のズームレンズは、物体側から順に、正の屈折力を有するレンズ群Ｇ１と、負の屈折力を有するレンズ群Ｇａと、正の屈折力を有するレンズ群Ｇｂと、正の屈折力を有するレンズ群Ｇｐと、負の屈折力を有するレンズ群Ｇｎ１と、負の屈折力を有するレンズ群Ｇｎ２と、正の屈折力を有するレンズ群Ｇｒとから構成されている。
【０１８１】
以下、各レンズ群の構成を説明する。レンズ群Ｇ１は、物体側から順に、物体側凸のメニスカス形状の負レンズＬ１及び両凸形状の正レンズＬ２が接合された接合レンズと、物体側凸のメニスカス形状の正レンズＬ３とから構成される。両凸形状の正レンズＬ２が本件発明にいう上記正レンズＬ１ｐであり、物体側凸のメニスカス形状の負レンズＬ１が本件発明にいう上記負レンズＬ１ｎである
【０１８２】
レンズ群Ｇａは、物体側から順に、両凹形状の負レンズＬ４と、両凹形状の負レンズＬ５及び物体側凸のメニスカス形状の正レンズＬ６が接合された接合レンズと、両凹形状の負レンズＬ７とから構成される。両凹形状の負レンズＬ５が本件発明にいう上記負レンズＬａｎである。
【０１８３】
レンズ群Ｇｂは、物体側から順に、両凸形状の正レンズＬ８と、両凸形状の正レンズＬ９及び両凹形状の負レンズＬ１０が接合された接合レンズとから構成される。両凸形状の正レンズＬ８が本件発明にいう上記正レンズＬｂｐである。
【０１８４】
レンズ群Ｇｐは、物体側から順に、両凸形状の正レンズＬ１１と、両凸形状の正レンズＬ１２及び両凹形状の負レンズＬ１３が接合された接合レンズとから構成される物体側部分レンズ群Ｇｐｆと、開口絞りＳと、物体側から順に、両凸形状の正レンズＬ１４と、物体側凸のメニスカス形状の負レンズＬ１５及び両凸形状の正レンズＬ１６が接合された接合レンズとから構成される像側部分レンズ群Ｇｐｒとから構成される。両凸形状の正レンズＬ１１の像側面は非球面である。
【０１８５】
レンズ群Ｇｎ１は、物体側から順に、両凸形状の正レンズＬ１７及び両凹形状の負レンズＬ１８が接合された接合レンズから構成される。両凹形状の負レンズＬ１８が本件発明にいう上記負レンズＬｎ１ｎである。
【０１８６】
レンズ群Ｇｎ２は、両凹形状の負レンズＬ１９から構成される。両凹形状の負レンズＬ１９の物体側面は非球面である。
【０１８７】
レンズ群Ｇｒは、物体側から順に、両凸形状の正レンズＬ２０と、物体側凹のメニスカス形状の負レンズＬ２１とから構成される。物体側凹のメニスカス形状の負レンズＬ２１の両面は非球面である。
【０１８８】
レンズ群Ｇａ、レンズ群Ｇｂ、レンズ群Ｇｎ１及びレンズ群Ｇｎ２は変倍時に光軸上を移動する可動群であり、レンズ群Ｇ１及びレンズ群Ｇｐ及びレンズ群Ｇｒは変倍時に像面に対して固定される固定群である。具体的には、広角端から望遠端への変倍に際し、レンズ群Ｇ１は像面に対して固定され、レンズ群Ｇａは像側に移動し、レンズ群Ｇｂは像側に移動し、レンズ群Ｇｐは像面に対して固定され、レンズ群Ｇｎ１は物体側に凹の軌道で移動し、レンズ群Ｇｎ２は像側に移動し、レンズ群Ｇｒは像面に対して固定される。
【０１８９】
また、無限遠から近接物体への合焦に際し、レンズ群Ｇｎ１及びレンズ群Ｇｎ２が光軸上を互いに異なる軌道で移動する。具体的には、像面に対して、レンズ群Ｇｎ１が像側へ移動し、レンズ群Ｇｎ２が物体側へ移動し、他のレンズ群が固定されることにより無限遠から近接物体へ合焦する。
【０１９０】
（２）数値実施例
次に、当該ズームレンズの具体的数値を適用した数値実施例について説明する。表６〜表１０に当該ズームレンズの面データ（表６における第４０面及び第４１面はカバーガラスＣＧの面データである。）、当該ズームレンズの緒元、無限遠合焦時における当該ズームレンズの光軸上の可変間隔、及び各非球面の非球面係数をそれぞれ示す。また、表３６に上記各条件式（１）〜条件式（２３）の値を示し、表３７に条件式（１）〜条件式（２３）の計算に用いた各値を示す。さらに、図５、図６に当該ズームレンズの広角端（図中（ａ）で示す）及び望遠端（図中（ｂ）で示す）における無限遠合焦時の縦収差、当該ズームレンズの広角端（図中（ａ）で示す）及び望遠端（図中（ｂ）で示す）における近接物体合焦時の縦収差をそれぞれ示す。
【０１９１】
［表６］
面番号        r          d        Nd      νd      φ
1           181.1201    1.500   1.85150   40.78   65.500
2            83.1745    8.681   1.43700   95.10   64.047
3          -665.8623    0.200                     63.829
4            81.1976    7.742   1.49700   81.61   62.152
5         -7629.5870       D5                     61.500
6          -402.1036    1.000   1.59349   67.00   38.000
7            63.9545    4.460                     36.972
8          -100.1498    1.000   1.49700   81.61   36.971
9            50.5051    4.744   1.90366   31.34   37.742
10          438.7346    1.067                     37.627
11         -267.3053    1.000   1.77250   49.60   37.627
12          117.8195      D12                     37.702
13          128.9389    4.283   1.90366   31.34   38.000
14         -132.1612    0.200                     38.039
15           78.1303    7.251   1.49700   81.61   37.166
16          -49.6775    1.000   1.95375   32.32   36.695
17          226.8211      D17                     36.459
18   ASP     92.2508    0.200   1.51460   49.96   36.824
19          113.9489    5.216   1.83400   37.21   36.818
20          -76.5274    0.200                     36.665
21           43.4142    6.714   1.49700   81.61   32.944
22          -66.7354    1.000   1.95375   32.32   31.857
23           40.1000    4.070                     29.625
24   S        0.0000    4.323                     28.864
25           48.3561    5.132   1.80610   40.93   30.487
26          -96.6161    0.200                     30.225
27          142.5878    1.000   1.80518   25.46   29.235
28           52.7620    3.776   1.48749   70.44   28.471
29         -304.4122      D29                     28.000
30          153.6139    2.478   1.92286   20.88   22.951
31         -129.2638    1.000   1.77250   49.60   22.160
32           23.0012      D32                     20.500
33   ASP    -68.4733    0.200   1.51460   49.96   24.626
34         -122.3112    1.000   1.83400   37.21   24.669
35           90.1156      D35                     25.299
36           36.9476    5.890   1.80610   40.93   27.500
37          -56.1504    4.855                     27.615
38   ASP    -16.2922    2.000   1.85108   40.12   26.917
39   ASP    -25.9593   29.919                     28.249
40            0.0000    2.500   1.51680   64.20   42.221
41            0.0000    1.000                     42.934
【０１９２】
［表７］
f            72.090   102.917   174.644
Fno           2.910     2.910     2.910
ω           16.884    11.700     6.827
Y            21.633    21.633    21.633
TL          199.933   199.933   199.933
【０１９３】
［表８］
f            72.090   102.917   174.644
撮影距離        INF       INF       INF
D5            1.424    22.248    52.599
D12          41.805    22.121     1.110
D17          11.479    10.341     1.000
D29           1.002     2.690     1.617
D32          15.369    14.387    15.635
D35           2.054     1.348     1.173
【０１９４】
［表９］
撮影距離    750.000   750.000   750.000
D29           2.831     6.309    11.542
D32          12.572     9.463     3.958
D35           3.023     2.652     2.925
【０１９５】
［表１０］
面番号      K         A4          A6          A8          A10         A12
18        0.0000 -2.4877E-06  2.5181E-10  3.2781E-13  4.2127E-16 -6.9615E-19
33        0.0000  2.2108E-05  9.1634E-09 -4.8031E-11  6.8118E-14  4.7829E-16
38        0.0000  6.3883E-05  1.2273E-07 -6.5635E-11 -2.1827E-12  1.1435E-14
39        0.0000  5.5504E-05  5.6691E-08 -4.2191E-10  6.1127E-13 -4.0123E-17
【実施例３】
【０１９６】
（１）ズームレンズの光学構成
図７に、本件発明に係る実施例３のズームレンズのレンズ断面図を示す。実施例３のズームレンズは、物体側から順に、正の屈折力を有するレンズ群Ｇ１と、負の屈折力を有するレンズ群Ｇａと、正の屈折力を有するレンズ群Ｇｂと、正の屈折力を有するレンズ群Ｇｐと、負の屈折力を有するレンズ群Ｇｎ１と、負の屈折力を有するレンズ群Ｇｎ２と、正の屈折力を有するレンズ群Ｇｒとから構成されている。
【０１９７】
以下、各レンズ群の構成を説明する。レンズ群Ｇ１は、物体側から順に、物体側凸のメニスカス形状の負レンズＬ１及び両凸形状の正レンズＬ２が接合された接合レンズと、物体側凸のメニスカス形状の正レンズＬ３とから構成される。両凸形状の正レンズＬ２が本件発明にいう上記正レンズＬ１ｐであり、物体側凸のメニスカス形状の負レンズＬ１が本件発明にいう上記負レンズＬ１ｎである。
【０１９８】
レンズ群Ｇａは、物体側から順に、両凹形状の負レンズＬ４と、両凹形状の負レンズＬ５及び物体側凸のメニスカス形状の正レンズＬ６が接合された接合レンズと、両凹形状の負レンズＬ７とから構成される。両凹形状の負レンズＬ５が本件発明にいう上記負レンズＬａｎである。
【０１９９】
レンズ群Ｇｂは、物体側から順に、両凸形状の正レンズＬ８と、両凸形状の正レンズＬ９及び両凹形状の負レンズＬ１０が接合された接合レンズとから構成される。両凸形状の正レンズＬ８が本件発明にいう上記正レンズＬｂｐである。
【０２００】
レンズ群Ｇｐは、物体側から順に、両凸形状の正レンズＬ１１と、両凸形状の正レンズＬ１２及び両凹形状の負レンズＬ１３が接合された接合レンズとから構成される物体側部分レンズ群Ｇｐｆと、開口絞りＳと、物体側から順に、両凸形状の正レンズＬ１４と、物体側凸のメニスカス形状の負レンズＬ１５及び両凸形状の正レンズＬ１６が接合された接合レンズとから構成される像側部分レンズ群Ｇｐｒとから構成される。両凸形状の正レンズＬ１１の像側面は非球面である。
【０２０１】
レンズ群Ｇｎ１は、物体側凸のメニスカス形状の負レンズＬ１７から構成される。物体側凸のメニスカス形状の負レンズＬ１７が本件発明にいう上記負レンズＬｎ１ｎである。
【０２０２】
レンズ群Ｇｎ２は、両凹形状の負レンズＬ１８から構成される。両凹形状の負レンズＬ１８の物体側面は非球面である。
【０２０３】
レンズ群Ｇｒは、物体側から順に、両凸形状の正レンズＬ１９と、物体側凹のメニスカス形状の負レンズＬ２０とから構成される。物体側凹のメニスカス形状の負レンズＬ２０の両面は非球面である。
【０２０４】
レンズ群Ｇａ、レンズ群Ｇｂ、レンズ群Ｇｎ１及びレンズ群Ｇｎ２は変倍時に光軸上を移動する可動群であり、レンズ群Ｇ１及びレンズ群Ｇｐ及びレンズ群Ｇｒは変倍時に像面に対して固定される固定群である。具体的には、広角端から望遠端への変倍に際し、レンズ群Ｇ１は像面に対して固定され、レンズ群Ｇａは像側に移動し、レンズ群Ｇｂは像側に移動し、レンズ群Ｇｐは像面に対して固定され、レンズ群Ｇｎ１は物体側に凹の軌道で移動し、レンズ群Ｇｎ２は像側に移動し、レンズ群Ｇｒは像面に対して固定される。
【０２０５】
また、無限遠から近接物体への合焦に際し、レンズ群Ｇｎ１及びレンズ群Ｇｎ２が光軸上を互いに異なる軌道で移動する。具体的には、像面に対して、レンズ群Ｇｎ１が像側へ移動し、レンズ群Ｇｎ２が物体側へ移動し、他のレンズ群が固定されることにより無限遠から近接物体へ合焦する。
【０２０６】
（２）数値実施例
次に、当該ズームレンズの具体的数値を適用した数値実施例について説明する。表１１〜表１５に当該ズームレンズの面データ（表１１における第３９面及び第４０面はカバーガラスＣＧの面データである。）、当該ズームレンズの緒元、無限遠合焦時における当該ズームレンズの光軸上の可変間隔、及び各非球面の非球面係数をそれぞれ示す。また、表３６に上記各条件式（１）〜条件式（２３）の値を示し、表３７に条件式（１）〜条件式（２３）の計算に用いた各値を示す。さらに、図８、図９に当該ズームレンズの広角端（図中（ａ）で示す）及び望遠端（図中（ｂ）で示す）における無限遠合焦時の縦収差、当該ズームレンズの広角端（図中（ａ）で示す）及び望遠端（図中（ｂ）で示す）における近接物体合焦時の縦収差をそれぞれ示す。
【０２０７】
［表１１］
面番号        r          d        Nd      νd      φ
1           206.1724    1.500   1.85150   40.78   61.000
2            88.0370    7.651   1.43700   95.10   60.195
3          -552.2654    0.200                     60.119
4            78.8485    7.463   1.49700   81.61   59.780
5             0.0000       D5                     59.307
6          -200.6629    1.000   1.69680   55.53   38.400
7            70.7298    3.630                     37.174
8          -160.1335    1.000   1.49700   81.61   37.169
9            47.7527    4.935   1.90366   31.34   38.102
10          303.3724    1.175                     38.002
11         -325.6406    1.000   1.67790   55.34   38.002
12          122.6320      D12                     38.130
13           98.5875    4.554   1.85478   24.80   39.200
14         -176.5558    0.458                     38.837
15           64.5434    7.564   1.49700   81.61   37.426
16          -59.4764    1.000   1.95375   32.32   36.738
17           85.7782      D17                     36.059
18   ASP     52.9716    0.200   1.51460   49.96   37.120
19           57.5444    6.300   1.83400   37.21   37.105
20         -113.2565    0.417                     36.721
21           45.7347    6.060   1.49700   81.61   33.023
22          -96.9106    1.000   1.95375   32.32   31.791
23           32.4780    4.787                     29.194
24   S        0.0000    3.877                     28.984
25           41.5178    4.815   1.71300   53.87   30.917
26         -396.8851    0.200                     30.635
27           41.9851    0.900   1.90525   35.04   29.472
28           27.5012    5.839   1.49700   81.61   28.315
29         -247.3062      D29                     28.000
30          135.7202    0.800   1.59349   67.00   23.680
31           24.2919      D31                     22.400
32   ASP   -112.7029    0.200   1.51460   49.96   25.015
33         -325.8899    0.800   1.80809   22.76   25.039
34           64.4234      D34                     25.410
35           42.9951    5.366   1.85478   24.80   27.000
36          -55.1009    6.997                     27.321
37   ASP    -16.6476    1.500   1.85108   40.12   25.973
38   ASP    -32.0565   26.099                     27.655
39            0.0000    2.500   1.51680   64.20   41.983
40            0.0000    1.000                     42.812
【０２０８】
［表１２］
f            71.556   100.245   173.385
Fno           2.910     2.910     2.910
ω           17.015    12.038     6.880
Y            21.633    21.633    21.633
TL          200.680   200.680   200.680
【０２０９】
［表１３］
f            71.556   100.245   173.385
撮影距離        INF       INF       INF
D5            1.924    22.008    52.500
D12          40.194    20.903     1.000
D17          12.588    11.795     1.206
D29           1.403     3.085     1.792
D31          18.971    18.063    19.704
D34           2.815     2.041     1.692
【０２１０】
［表１４］
撮影距離    750.000   750.000   750.000
D29           3.696     7.481    14.340
D31          15.516    12.002     4.631
D34           3.977     3.706     4.218
【０２１１】
［表１５］
面番号      K         A4          A6          A8          A10         A12
18        0.0000 -1.7816E-06 -1.8343E-11  8.2210E-13 -1.6388E-15  1.0963E-18
32        0.0000  2.0543E-05  1.0851E-08 -7.8894E-11  2.5677E-13 -1.3195E-16
37        0.0000  1.5457E-05  7.2749E-07 -6.2231E-09  2.7847E-11 -4.5120E-14
38        0.0000  1.4466E-05  4.7250E-07 -4.1440E-09  1.6438E-11 -2.5447E-14
【実施例４】
【０２１２】
（１）ズームレンズの光学構成
図１０に、本件発明に係る実施例４のズームレンズのレンズ断面図を示す。実施例４のズームレンズは、物体側から順に、正の屈折力を有するレンズ群Ｇ１と、負の屈折力を有するレンズ群Ｇａと、正の屈折力を有するレンズ群Ｇｂと、正の屈折力を有するレンズ群Ｇｐと、負の屈折力を有するレンズ群Ｇｎ１と、負の屈折力を有するレンズ群Ｇｎ２と、正の屈折力を有するレンズ群Ｇｒとから構成されている。
【０２１３】
以下、各レンズ群の構成を説明する。レンズ群Ｇ１は、物体側から順に、物体側凸のメニスカス形状の負レンズＬ１及び両凸形状の正レンズＬ２が接合された接合レンズと、物体側凸のメニスカス形状の正レンズＬ３とから構成される。両凸形状の正レンズＬ２が本件発明にいう上記正レンズＬ１ｐであり、物体側凸のメニスカス形状の負レンズＬ１が本件発明にいう上記負レンズＬ１ｎである。
【０２１４】
レンズ群Ｇａは、物体側から順に、両凹形状の負レンズＬ４と、両凹形状の負レンズＬ５及び物体側凸のメニスカス形状の正レンズＬ６が接合された接合レンズと、両凹形状の負レンズＬ７とから構成される。両凹形状の負レンズＬ５が本件発明にいう上記負レンズＬａｎである。
【０２１５】
レンズ群Ｇｂは、物体側から順に、両凸形状の正レンズＬ８と、両凸形状の正レンズＬ９及び両凹形状の負レンズＬ１０が接合された接合レンズとから構成される。両凸形状の正レンズＬ８が本件発明にいう上記正レンズＬｂｐである。
【０２１６】
レンズ群Ｇｐは、物体側から順に、両凸形状の正レンズＬ１１及び両凹形状の負レンズＬ１２が接合された接合レンズとから構成される物体側部分レンズ群Ｇｐｆと、開口絞りＳと、物体側から順に、物体側凸のメニスカス形状の正レンズＬ１３と、物体側凸のメニスカス形状の負レンズＬ１４及び両凸形状の正レンズＬ１５が接合された接合レンズとから構成される像側部分レンズ群Ｇｐｒとから構成される。物体側凸のメニスカス形状の正レンズＬ１３の像側面は非球面である。
【０２１７】
レンズ群Ｇｎ１は、両凸形状の正レンズＬ１６及び両凹形状の負レンズＬ１７が接合された接合レンズから構成される。両凹形状の負レンズＬ１７が本件発明にいう上記負レンズＬｎ１ｎである。
【０２１８】
レンズ群Ｇｎ２は、両凹形状の負レンズＬ１８から構成される。両凹形状の負レンズＬ１８の像側面は非球面である。
【０２１９】
レンズ群Ｇｒは、物体側から順に、両凸形状の正レンズＬ１９と、物体側凹のメニスカス形状の負レンズＬ２０とから構成される。物体側凹のメニスカス形状の負レンズＬ２０の両面は非球面である。
【０２２０】
レンズ群Ｇａ、レンズ群Ｇｂ、レンズ群Ｇｎ１及びレンズ群Ｇｎ２は変倍時に光軸上を移動する可動群であり、レンズ群Ｇ１及びレンズ群Ｇｐ及びレンズ群Ｇｒは変倍時に像面に対して固定される固定群である。具体的には、広角端から望遠端への変倍に際し、レンズ群Ｇ１は像面に対して固定され、レンズ群Ｇａは像側に移動し、レンズ群Ｇｂは像側に移動し、レンズ群Ｇｐは像面に対して固定され、レンズ群Ｇｎ１は物体側に凹の軌道で移動し、レンズ群Ｇｎ２は像側に移動し、レンズ群Ｇｒは像面に対して固定される。
【０２２１】
また、無限遠から近接物体への合焦に際し、レンズ群Ｇｎ１及びレンズ群Ｇｎ２が光軸上を互いに異なる軌道で移動する。具体的には、像面に対して、レンズ群Ｇｎ１が像側へ移動し、レンズ群Ｇｎ２が物体側へ移動し、他のレンズ群が固定されることにより無限遠から近接物体へ合焦する。
【０２２２】
（２）数値実施例
次に、当該ズームレンズの具体的数値を適用した数値実施例について説明する。表１６〜表２０に当該ズームレンズの面データ（表１６における第３８面及び第３９面はカバーガラスＣＧの面データである。）、当該ズームレンズの緒元、無限遠合焦時における当該ズームレンズの光軸上の可変間隔、及び各非球面の非球面係数をそれぞれ示す。また、表３６に上記各条件式（１）〜条件式（２３）の値を示し、表３７に条件式（１）〜条件式（２３）の計算に用いた各値を示す。さらに、図１１、図１２に当該ズームレンズの広角端（図中（ａ）で示す）及び望遠端（図中（ｂ）で示す）における無限遠合焦時の縦収差、当該ズームレンズの広角端（図中（ａ）で示す）及び望遠端（図中（ｂ）で示す）における近接物体合焦時の縦収差をそれぞれ示す。
【０２２３】
［表１６］
面番号        r          d        Nd      νd      φ
1           171.3018    1.500   1.80610   40.73   70.000
2            79.0593    9.397   1.43700   95.10   68.769
3        -32122.2269    1.547                     68.745
4            78.9488    9.763   1.49700   81.61   68.531
5         -1318.2275       D5                     68.000
6          -332.1266    1.000   1.59349   67.00   39.000
7            81.8070    3.796                     37.693
8          -112.3928    1.000   1.49700   81.61   37.692
9            52.5481    4.933   1.85025   30.05   37.537
10         5251.8870    1.411                     37.366
11         -127.6079    1.000   1.77250   49.62   37.365
12          106.9628      D12                     37.422
13          432.3991    4.624   1.90043   37.37   39.000
14          -73.1038    0.200                     39.249
15           62.9191    7.584   1.49700   81.61   37.494
16          -54.5143    1.000   1.95375   32.32   36.879
17          307.5253      D17                     36.278
18           53.6502    4.841   1.61772   49.81   35.424
19         -478.2737    1.000   1.84666   23.78   34.932
20           76.7989    3.190                     34.053
21   S        0.0000    1.828                     33.175
22           38.4748    5.830   1.59270   35.31   33.530
23         3111.2655    0.200   1.51460   49.96   32.764
24   ASP  -1594.9921    0.200                     32.646
25           76.4025    1.000   1.72000   50.23   31.677
26           23.2595    8.011   1.49700   81.61   29.412
27          -78.8128      D27                     29.000
28          116.4277    2.825   1.92286   20.88   24.493
29         -190.3095    1.000   1.77250   49.62   23.627
30           25.4467      D30                     22.000
31          -40.4926    1.000   1.54814   45.78   23.388
32           78.4782    0.200   1.51460   49.96   24.460
33   ASP     54.0926      D33                     24.530
34           39.8552    8.000   1.77250   49.62   27.000
35          -61.2257    4.432                     26.568
36   ASP    -64.8072    2.000   1.83441   37.28   26.331
37   ASP   -464.9104   32.115                     27.673
38            0.0000    2.500   1.51680   64.20   42.155
39            0.0000    1.000                     42.862
【０２２４】
［表１７］
f            72.088   116.395   193.999
Fno           2.910     2.910     2.910
ω           17.272    10.437     6.149
Y            21.633    21.633    21.633
TL          210.680   210.680   210.680
【０２２５】
［表１８］
f            72.088   116.395   193.999
撮影距離        INF       INF       INF
D5            1.907    31.897    58.080
D12          48.404    25.322     2.249
D17          11.018     4.110     1.000
D27           1.092     3.000     1.429
D30          16.397    14.994    16.327
D33           1.938     1.433     1.671
【０２２６】
［表１９］
撮影距離   1000.000  1000.000  1000.000
D27           2.732     6.929    11.673
D30          13.660     9.718     4.940
D33           3.035     2.780     2.814
【０２２７】
［表２０］
面番号      K         A4          A6          A8          A10         A12
24        0.0000  3.6299E-06 -2.4546E-09  5.0886E-12 -1.1430E-14  1.2139E-17
33        0.0000 -1.8815E-05  7.5555E-09 -6.8200E-11  2.6789E-13 -3.2898E-16
36        0.0000 -9.3858E-05  3.5898E-07 -7.8104E-10  2.3889E-12 -4.8908E-15
37        0.0000 -7.8954E-05  3.9255E-07 -1.0385E-09  2.5644E-12 -3.7563E-15
【実施例５】
【０２２８】
（１）ズームレンズの光学構成
図１３に、本件発明に係る実施例５のズームレンズのレンズ断面図を示す。実施例５のズームレンズは、物体側から順に、正の屈折力を有するレンズ群Ｇ１と、負の屈折力を有するレンズ群Ｇａと、正の屈折力を有するレンズ群Ｇｂと、正の屈折力を有するレンズ群Ｇｐと、負の屈折力を有するレンズ群Ｇｎ１と、負の屈折力を有するレンズ群Ｇｎ２と、正の屈折力を有するレンズ群Ｇｒとから構成されている。
【０２２９】
以下、各レンズ群の構成を説明する。レンズ群Ｇ１は、物体側から順に、両凸形状の正レンズＬ１と、物体側凸のメニスカス形状の負レンズＬ２及び物体側凸のメニスカス形状の正レンズＬ３が接合された接合レンズと、物体側凸のメニスカス形状の正レンズＬ４とから構成される。物体側凸のメニスカス形状の正レンズＬ３が本件発明にいう上記正レンズＬ１ｐであり、物体側凸のメニスカス形状の負レンズＬ２が本件発明にいう上記負レンズＬ１ｎである
【０２３０】
レンズ群Ｇａは、物体側から順に、物体側凹のメニスカス形状の正レンズＬ５及び両凹形状の負レンズＬ６が接合された接合レンズと、物体側凸のメニスカス形状の負レンズＬ７及び物体側凸のメニスカス形状の正レンズＬ８が接合された接合レンズと、物体側凹のメニスカス形状の負レンズＬ９とから構成される。物体側凸のメニスカス形状の負レンズＬ７が本件発明にいう上記負レンズＬａｎである。
【０２３１】
レンズ群Ｇｂは、物体側から順に、両凸形状の正レンズＬ１０と、両凸形状の正レンズＬ１１と、両凸形状の正レンズＬ１２及び両凹形状の負レンズＬ１３が接合された接合レンズとから構成される。両凸形状の正レンズＬ１０が本件発明にいう上記正レンズＬｂｐである。
【０２３２】
レンズ群Ｇｐは、物体側から順に、両凸形状の正レンズＬ１４と、両凸形状の正レンズＬ１５及び両凹形状の負レンズＬ１６が接合された接合レンズとから構成される物体側部分レンズ群Ｇｐｆと、開口絞りＳと、物体側から順に、物体側凸のメニスカス形状の正レンズＬ１７と、物体側凸のメニスカス形状の負レンズＬ１８及び両凸形状の正レンズＬ１９が接合された接合レンズとから構成される像側部分レンズ群Ｇｐｒとから構成される。両凸形状の正レンズＬ１４の物体側面は非球面である。
【０２３３】
レンズ群Ｇｎ１は、両凸形状の正レンズＬ２０及び両凹形状の負レンズＬ２１が接合された接合レンズから構成される。両凹形状の負レンズＬ２１が本件発明にいう上記負レンズＬｎ１ｎである。
【０２３４】
レンズ群Ｇｎ２は、両凹形状の負レンズＬ２２から構成される。両凹形状の負レンズＬ２２の物体側面は非球面である。
【０２３５】
レンズ群Ｇｒは、物体側から順に、両凸形状の正レンズＬ２３と、物体側凹のメニスカス形状の負レンズＬ２４とから構成される。物体側凹のメニスカス形状の負レンズＬ２４の両面は非球面である。
【０２３６】
レンズ群Ｇａ、レンズ群Ｇｂ、レンズ群Ｇｎ１及びレンズ群Ｇｎ２は変倍時に光軸上を移動する可動群であり、レンズ群Ｇ１及びレンズ群Ｇｐ及びレンズ群Ｇｒは変倍時に像面に対して固定される固定群である。具体的には、広角端から望遠端への変倍に際し、レンズ群Ｇ１は像面に対して固定され、レンズ群Ｇａは像側に移動し、レンズ群Ｇｂは像側に移動し、レンズ群Ｇｐは像面に対して固定され、レンズ群Ｇｎ１は物体側に凹の軌道で移動し、レンズ群Ｇｎ２は像側に移動し、レンズ群Ｇｒは像面に対して固定される。
【０２３７】
また、無限遠から近接物体への合焦に際し、レンズ群Ｇｎ１及びレンズ群Ｇｎ２が光軸上を互いに異なる軌道で移動する。具体的には、像面に対して、レンズ群Ｇｎ１が像側へ移動し、レンズ群Ｇｎ２が物体側へ移動し、他のレンズ群が固定されることにより無限遠から近接物体へ合焦する。
【０２３８】
（２）数値実施例
次に、当該ズームレンズの具体的数値を適用した数値実施例について説明する。表２１〜表２５に当該ズームレンズの面データ（表２１における第４５面及び第４６面はカバーガラスＣＧの面データである。）、当該ズームレンズの緒元、無限遠合焦時における当該ズームレンズの光軸上の可変間隔、及び各非球面の非球面係数をそれぞれ示す。また、表３６に上記各条件式（１）〜条件式（２３）の値を示し、表３７に条件式（１）〜条件式（２３）の計算に用いた各値を示す。さらに、図１４、図１５に当該ズームレンズの広角端（図中（ａ）で示す）及び望遠端（図中（ｂ）で示す）における無限遠合焦時の縦収差、当該ズームレンズの広角端（図中（ａ）で示す）及び望遠端（図中（ｂ）で示す）における近接物体合焦時の縦収差をそれぞれ示す。
【０２３９】
［表２１］
面番号        r          d        Nd      νd      φ
1          1621.6986    7.513   1.48749   70.44   97.000
2          -311.8485    0.200                     96.931
3           192.8648    2.000   1.80610   40.93   94.945
4            91.3647   13.104   1.43700   95.10   92.088
5           449.3629    0.200                     91.687
6            95.9482   12.654   1.49700   81.61   90.737
7           491.8307       D7                     90.000
8          -380.5450    4.337   1.90366   31.34   56.000
9          -117.9810    2.000   1.59551   39.24   55.356
10           67.7843    4.555                     51.334
11          664.3046    2.000   1.49700   81.61   51.334
12           64.2216    5.358   1.85478   24.80   50.543
13          222.6298    4.824                     50.134
14          -93.9766    2.000   1.77250   49.60   50.134
15         -681.4130      D15                     50.558
16         1055.8057    3.509   1.84666   23.78   52.000
17         -202.6865    0.200                     52.184
18          104.3121    5.931   1.49700   81.61   51.738
19         -337.4360    1.238                     51.380
20          192.0043    9.220   1.49700   81.61   49.842
21          -76.3114    2.000   1.95375   32.32   48.557
22          507.8844      D22                     47.883
23   ASP    304.6774    0.200   1.51460   49.96   46.155
24          347.0586    4.905   1.80518   25.46   46.128
25         -103.1476    0.709                     45.955
26          183.1323    9.040   1.61772   49.81   43.140
27         -130.0350    2.000   1.92119   23.96   40.248
28           87.0935   14.175                     38.337
29   S        0.0000   15.990                     35.835
30          101.5040    2.865   1.53996   59.46   35.062
31          673.2789    0.558                     34.856
32           54.3153    1.000   1.77250   49.60   34.309
33           34.6132    6.928   1.48749   70.44   33.345
34         -171.2662      D34                     33.000
35           77.4041    3.162   1.72825   28.46   27.384
36         -208.8210    1.000   1.77250   49.60   26.704
37           30.5399      D37                     25.000
38   ASP    -92.0974    0.200   1.51460   49.96   26.664
39         -137.9809    1.000   1.77250   49.60   26.674
40          110.9512      D40                     26.941
41           34.4039   12.955   1.59270   35.31   28.000
42          -62.9551    3.957                     27.823
43   ASP    -28.8136    2.500   1.85135   40.10   27.029
44   ASP   -106.0539   31.452                     28.192
45            0.0000    2.500   1.51680   64.20   42.145
46            0.0000    1.000                     42.852
【０２４０】
［表２２］
f           203.875   290.974   388.046
Fno           4.120     4.120     4.120
ω            5.854     4.108     3.087
Y            21.633    21.633    21.633
TL          310.000   310.000   310.000
【０２４１】
［表２３］
f           203.875   290.974   388.046
撮影距離        INF       INF       INF
D7           25.681    51.333    70.051
D15          33.725    15.035     1.000
D22          15.307     8.344     3.661
D34          15.806    10.288     0.998
D37          16.995    22.987    32.352
D40           1.550     1.076     1.000
【０２４２】
［表２４］
撮影距離   1500.000  1500.000  1500.000
D34          24.642    25.761    23.335
D37           5.702     4.258     7.129
D40           4.006     4.331     3.887
【０２４３】
［表２５］
面番号      K         A4          A6          A8          A10         A12
23        0.0000 -5.8863E-07  1.8512E-11  1.5753E-13 -2.0630E-16  1.0563E-19
38        0.0000  1.3588E-05 -3.5696E-09  4.8630E-11 -2.6906E-13  4.4745E-16
43        0.0000 -3.3873E-05  3.3420E-07 -1.4156E-09  4.1994E-12 -5.8650E-15
44        0.0000 -2.2770E-05  2.9290E-07 -1.2923E-09  3.6390E-12 -4.5735E-15
【実施例６】
【０２４４】
（１）ズームレンズの光学構成
図１６に、本件発明に係る実施例６のズームレンズのレンズ断面図を示す。実施例６のズームレンズは、物体側から順に、正の屈折力を有するレンズ群Ｇ１と、負の屈折力を有するレンズ群Ｇａと、負の屈折力を有するレンズ群Ｇｂと、正の屈折力を有するレンズ群Ｇｐと、負の屈折力を有するレンズ群Ｇｎ１と、負の屈折力を有するレンズ群Ｇｎ２と、正の屈折力を有するレンズ群Ｇｒとから構成されている。
【０２４５】
以下、各レンズ群の構成を説明する。レンズ群Ｇ１は、物体側から順に、物体側凸のメニスカス形状の負レンズＬ１及び両凸形状の正レンズＬ２が接合された接合レンズと、両凸形状の正レンズＬ３とから構成される。両凸形状の正レンズＬ２が本件発明にいう上記正レンズＬ１ｐであり、物体側凸のメニスカス形状の負レンズＬ１が本件発明にいう上記負レンズＬ１ｎである
【０２４６】
レンズ群Ｇａは、物体側から順に、物体側凹のメニスカス形状の正レンズＬ４及び両凹形状の負レンズＬ５が接合された接合レンズとから構成される。両凹形状の負レンズＬ５が本件発明にいう上記負レンズＬａｎである。
【０２４７】
レンズ群Ｇｂは、物体側から順に、両凹形状の負レンズＬ６及び物体側凸のメニスカス形状の正レンズＬ７が接合された接合レンズと、物体側凹のメニスカス形状の負レンズＬ８とから構成される。物体側凸のメニスカス形状の正レンズＬ７が本件発明にいう上記正レンズＬｂｐである。
【０２４８】
レンズ群Ｇｐは、物体側から順に、物体側凸のメニスカス形状の正レンズＬ９と、両凸形状の正レンズＬ１０と、両凸形状の正レンズＬ１１及び物体側凹のメニスカス形状の負レンズＬ１２が接合された接合レンズと、両凸形状の正レンズＬ１３と、両凸形状の正レンズＬ１４及び両凹形状の負レンズＬ１５が接合された接合レンズとから構成される物体側部分レンズ群Ｇｐｆと、開口絞りＳと、物体側から順に、物体側凸のメニスカス形状の負レンズＬ１６及び物体側凸のメニスカス形状の正レンズＬ１７が接合された接合レンズと、両凸形状の正レンズＬ１８とから構成される像側部分レンズ群Ｇｐｒとから構成される。両凸形状の正レンズＬ１４の物体側面は非球面である。
【０２４９】
レンズ群Ｇｎ１は、両凸形状の正レンズＬ１９及び両凹形状の負レンズＬ２０が接合された接合レンズから構成される。両凹形状の負レンズＬ２０が本件発明にいう上記負レンズＬｎ１ｎである。
【０２５０】
レンズ群Ｇｎ２は、両凹形状の負レンズＬ２１から構成される。両凹形状の負レンズＬ２１の物体側面は非球面である。
【０２５１】
レンズ群Ｇｒは、物体側から順に、両凸形状の正レンズＬ２２と、物体側凹のメニスカス形状の負レンズＬ２３と、物体側凹のメニスカス形状の負レンズＬ２４とから構成される。物体側凹のメニスカス形状の負レンズＬ２４の両面は非球面である。
【０２５２】
レンズ群Ｇａ、レンズ群Ｇｂ、レンズ群Ｇｎ１及びレンズ群Ｇｎ２は変倍時に光軸上を移動する可動群であり、レンズ群Ｇ１及びレンズ群Ｇｐ及びレンズ群Ｇｒは変倍時に像面に対して固定される固定群である。具体的には、広角端から望遠端への変倍に際し、レンズ群Ｇ１は像面に対して固定され、レンズ群Ｇａは像側に移動し、レンズ群Ｇｂは像側に移動し、レンズ群Ｇｐは像面に対して固定され、レンズ群Ｇｎ１は物体側に凹の軌道で移動し、レンズ群Ｇｎ２は物体側に凸の軌道で移動し、レンズ群Ｇｒは像面に対して固定される。
【０２５３】
また、無限遠から近接物体への合焦に際し、レンズ群Ｇｎ１及びレンズ群Ｇｎ２が光軸上を互いに異なる軌道で移動する。具体的には、像面に対して、レンズ群Ｇｎ１が像側へ移動し、レンズ群Ｇｎ２が物体側へ移動し、他のレンズ群が固定されることにより無限遠から近接物体へ合焦する。
【０２５４】
（２）数値実施例
次に、当該ズームレンズの具体的数値を適用した数値実施例について説明する。表２６〜表３０に当該ズームレンズの面データ（表２６における第４５面及び第４６面はカバーガラスＣＧの面データである。）、当該ズームレンズの緒元、無限遠合焦時における当該ズームレンズの光軸上の可変間隔、及び各非球面の非球面係数をそれぞれ示す。また、表３６に上記各条件式（１）〜条件式（２３）の値を示し、表３７に条件式（１）〜条件式（２３）の計算に用いた各値を示す。さらに、図１７、図１８に当該ズームレンズの広角端（図中（ａ）で示す）及び望遠端（図中（ｂ）で示す）における無限遠合焦時の縦収差、当該ズームレンズの広角端（図中（ａ）で示す）及び望遠端（図中（ｂ）で示す）における近接物体合焦時の縦収差をそれぞれ示す。
【０２５５】
［表２６］
面番号        r          d        Nd      νd      φ
1           160.1476    2.000   1.80610   33.27   86.000
2            93.3737   12.339   1.43700   95.10   83.939
3          -888.1268    0.200                     83.697
4           107.6285   10.045   1.49700   81.61   81.020
5         -1093.0830       D5                     80.378
6          -747.4164    2.969   1.69895   30.05   54.000
7          -174.2268    1.000   1.59282   68.62   53.369
8            49.3286       D8                     48.583
9          -129.7606    1.000   1.49700   81.61   47.796
10           55.0473    6.452   1.95375   32.32   48.442
11          521.2694    3.815                     48.204
12          -96.2223    1.000   1.74950   35.33   48.156
13       -10789.5998      D13                     48.494
14          121.3380    3.746   1.80610   33.27   49.000
15         1970.0059    0.200                     48.946
16           57.3068    7.552   1.49700   81.61   48.671
17         -412.8451    0.200                     48.191
18           67.9186    9.704   1.49700   81.61   45.399
19          -59.4308    1.000   1.90366   31.31   44.477
20        -3661.9631    0.200                     43.023
21          324.5982    4.061   1.92286   20.88   42.493
22         -115.3846    0.200                     41.996
23   ASP    111.8573    0.200   1.51460   49.96   38.397
24          201.4514    4.858   1.49700   81.61   38.316
25          -70.8696    1.000   1.90366   31.31   37.287
26           46.4267    4.868                     34.583
27   S        0.0000    1.500                     34.404
28           76.1572    1.000   1.84666   23.78   34.842
29           31.7735    6.236   1.48749   70.44   34.170
30          981.8339    2.180                     34.310
31           52.6563    6.407   1.85150   40.78   35.308
32          -79.4016      D32                     35.000
33          153.8304    2.595   1.92286   20.88   29.526
34         -225.1096    0.800   1.77250   49.62   28.719
35           26.5135      D35                     26.000
36   ASP    -82.4070    0.200   1.51460   49.96   25.600
37         -115.9603    1.000   1.69895   30.05   25.679
38           88.3329      D38                     26.801
39           44.5803    5.980   1.91082   35.25   30.000
40          -58.3717    5.683                     30.141
41          -28.6941    1.000   1.80518   25.46   29.014
42          -47.5844    4.503                     29.903
43   ASP    -19.2526    1.500   1.85108   40.12   30.151
44   ASP    -27.2216   16.670                     31.281
45            0.0000    2.500   1.51680   64.20   41.887
46            0.0000    1.000                     42.758
【０２５６】
［表２７］
f            72.110    97.006   130.941
Fno           2.060     2.060     2.060
ω           16.823    12.307     9.071
Y            21.633    21.633    21.633
TL          205.680   205.680   205.680
【０２５７】
［表２８］
f            72.110    97.006   130.941
撮影距離        INF       INF       INF
D5            1.141    19.396    36.325
D8           18.938    13.651     9.408
D13          26.687    13.707     1.000
D32           1.536     2.219     1.554
D35          16.529    15.645    16.512
D38           1.500     1.701     1.500
【０２５８】
［表２９］
撮影距離    750.000   750.000   750.000
D32           4.434     7.251    10.418
D35          12.146     8.999     5.444
D38           2.986     3.316     3.703
【０２５９】
［表３０］
面番号      K         A4          A6          A8          A10         A12
23        0.0000 -4.6953E-06 -1.1425E-09  6.9981E-13  4.4993E-15 -4.1943E-18
36        0.0000  1.0617E-05  4.6983E-09  7.3229E-12 -1.0370E-13  2.7612E-16
43        0.0000 -6.1526E-06  4.0824E-07 -8.3635E-10  6.8763E-14  2.4128E-15
44        0.0000 -8.8475E-06  3.2014E-07 -8.0257E-10  7.0550E-13  2.3907E-16
【実施例７】
【０２６０】
（１）ズームレンズの光学構成
図１９に、本件発明に係る実施例７のズームレンズのレンズ断面図を示す。実施例７のズームレンズは、物体側から順に、正の屈折力を有するレンズ群Ｇ１と、負の屈折力を有するレンズ群Ｇａと、負の屈折力を有するレンズ群Ｇｂと、正の屈折力を有するレンズ群Ｇｃと、正の屈折力を有するレンズ群Ｇｐと、負の屈折力を有するレンズ群Ｇｎ１と、負の屈折力を有するレンズ群Ｇｎ２と、正の屈折力を有するレンズ群Ｇｒとから構成されている。
【０２６１】
以下、各レンズ群の構成を説明する。レンズ群Ｇ１は、物体側から順に、物体側凸のメニスカス形状の負レンズＬ１及び両凸形状の正レンズＬ２が接合された接合レンズと、両凸形状の正レンズＬ３とから構成される。両凸形状の正レンズＬ２が本件発明にいう上記正レンズＬ１ｐであり、物体側凸のメニスカス形状の負レンズＬ１が本件発明にいう上記負レンズＬ１ｎである
【０２６２】
レンズ群Ｇａは、物体側から順に、物体側凹のメニスカス形状の正レンズＬ４及び両凹形状の負レンズＬ５が接合された接合レンズとから構成される。両凹形状の負レンズＬ５が本件発明にいう上記負レンズＬａｎである。
【０２６３】
レンズ群Ｇｂは、物体側から順に、両凹形状の負レンズＬ６及び物体側凸のメニスカス形状の正レンズＬ７が接合された接合レンズと、物体側凹のメニスカス形状の負レンズＬ８とから構成される。物体側凸のメニスカス形状の正レンズＬ７が本件発明にいう上記正レンズＬｂｐである。
【０２６４】
レンズ群Ｇｃは、物体側から順に、両凸形状の正レンズＬ９と、両凸形状の正レンズＬ１０と、両凸形状の正レンズＬ１１及び物体側凹のメニスカス形状の負レンズＬ１２が接合された接合レンズとから構成される。
【０２６５】
レンズ群Ｇｐは、物体側から順に、両凸形状の正レンズＬ１３と、両凸形状の正レンズＬ１４及び両凹形状の負レンズＬ１５が接合された接合レンズとから構成される物体側部分レンズ群Ｇｐｆと、開口絞りＳと、物体側から順に、物体側凸のメニスカス形状の負レンズＬ１６及び物体側凸のメニスカス形状の正レンズＬ１７が接合された接合レンズと、両凸形状の正レンズＬ１８とから構成される像側部分レンズ群Ｇｐｒとから構成される。両凸形状の正レンズＬ１４の物体側面は非球面である。
【０２６６】
レンズ群Ｇｎ１は、両凸形状の正レンズＬ１９及び両凹形状の負レンズＬ２０が接合された接合レンズから構成される。両凹形状の負レンズＬ２０が本件発明にいう上記負レンズＬｎ１ｎである。
【０２６７】
レンズ群Ｇｎ２は、両凹形状の負レンズＬ２１から構成される。両凹形状の負レンズＬ２１の物体側面は非球面である。
【０２６８】
レンズ群Ｇｒは、物体側から順に、両凸形状の正レンズＬ２２と、物体側凹のメニスカス形状の負レンズＬ２３と、物体側凹のメニスカス形状の負レンズＬ２４とから構成される。物体側凹のメニスカス形状の負レンズＬ２４の両面は非球面である。
【０２６９】
レンズ群Ｇａ、レンズ群Ｇｂ、レンズ群Ｇｃ及びレンズ群Ｇｎ２は変倍時に光軸上を移動する可動群であり、レンズ群Ｇ１、レンズ群Ｇｐ、レンズ群Ｇｎ１及びレンズ群Ｇｒは変倍時に像面に対して固定される固定群である。具体的には、広角端から望遠端への変倍に際し、レンズ群Ｇ１は像面に対して固定され、レンズ群Ｇａは像側に移動し、レンズ群Ｇｂは像側に移動し、レンズ群Ｇｃは物体側に凸の軌道で移動し、物体側レンズ群Ｇｐは像面に対して固定され、レンズ群Ｇｎ１は像面に対して固定され、レンズ群Ｇｎ２は物体側に移動し、レンズ群Ｇｒは像面に対して固定される。
【０２７０】
また、無限遠から近接物体への合焦に際し、レンズ群Ｇｎ１及びレンズ群Ｇｎ２が光軸上を互いに異なる軌道で移動する。具体的には、像面に対して、レンズ群Ｇｎ１が像側へ移動し、レンズ群Ｇｎ２が物体側へ移動し、他のレンズ群が固定されることにより無限遠から近接物体へ合焦する。
【０２７１】
（２）数値実施例
次に、当該ズームレンズの具体的数値を適用した数値実施例について説明する。表３１〜表３５に当該ズームレンズの面データ（表３１における第４５面及び第４６面はカバーガラスＣＧの面データである。）、当該ズームレンズの緒元、無限遠合焦時における当該ズームレンズの光軸上の可変間隔、及び各非球面の非球面係数をそれぞれ示す。また、表３６に上記各条件式（１）〜条件式（２３）の値を示し、表３７に条件式（１）〜条件式（２３）の計算に用いた各値を示す。さらに、図２０、図２１に当該ズームレンズの広角端（図中（ａ）で示す）及び望遠端（図中（ｂ）で示す）における無限遠合焦時の縦収差、当該ズームレンズの広角端（図中（ａ）で示す）及び望遠端（図中（ｂ）で示す）における近接物体合焦時の縦収差をそれぞれ示す。
【０２７２】
［表３１］
面番号        r          d        Nd      νd      φ
1           179.5110    2.000   1.80610   33.27   86.000
2            95.2845   11.237   1.43700   95.10   83.844
3         -8142.4517    0.200                     83.598
4            86.8748   12.189   1.49700   81.61   81.128
5         -1055.0142       D5                     80.471
6          -332.9068    4.038   1.69895   30.05   54.000
7           -97.3195    1.000   1.59282   68.62   53.420
8            49.8482       D8                     48.213
9          -192.1333    1.000   1.49700   81.61   48.144
10           53.7308    6.643   1.95375   32.32   48.453
11          566.9420    4.579                     48.171
12          -76.4661    1.000   1.74950   35.33   48.113
13         1429.7556      D13                     48.663
14          389.8469    3.420   1.80610   33.27   49.000
15         -242.7523    0.200                     49.181
16           60.2700    8.815   1.49700   81.61   49.656
17         -149.8190    0.200                     49.302
18           74.0289    8.350   1.49700   81.61   45.964
19          -79.8017    1.000   1.90366   31.31   45.109
20         -293.2630      D20                     44.033
21          283.9687    3.103   1.92286   20.88   41.111
22         -225.9461    0.200                     40.437
23   ASP    163.6016    0.200   1.51460   49.96   38.525
24          488.6585    4.365   1.49700   81.61   38.449
25          -71.1989    1.000   1.90366   31.31   37.457
26           61.8062    4.088                     35.217
27   S        0.0000    1.500                     34.983
28           94.0068    1.000   1.84666   23.78   34.850
29           32.7235    5.857   1.48749   70.44   34.148
30          475.4631    2.433                     34.269
31           52.8093    6.190   1.85150   40.78   35.288
32          -84.5966      D32                     35.000
33          169.4577    2.670   1.92286   20.88   29.413
34         -171.7514    0.800   1.77250   49.62   28.609
35           26.3934      D35                     26.000
36   ASP   -101.6991    0.200   1.51460   49.96   25.600
37         -142.1078    1.000   1.69895   30.05   25.633
38           75.2386      D38                     26.534
39           42.0939    6.041   1.91082   35.25   30.000
40          -65.0359    5.237                     30.129
41          -31.1696    1.000   1.80518   25.46   29.194
42          -48.5832    4.043                     29.914
43   ASP    -19.8580    1.500   1.85108   40.12   30.039
44   ASP    -28.9675   16.595                     31.062
45            0.0000    2.500   1.51680   64.20   41.815
46            0.0000    1.000                     42.727
【０２７３】
［表３２］
f            72.109    97.009   130.956
Fno           2.060     2.060     2.060
ω           16.994    12.434     9.070
Y            21.633    21.633    21.633
TL          205.680   205.680   205.680
【０２７４】
［表３３］
f            72.109    97.009   130.956
撮影距離        INF       INF       INF
D5            1.738    18.225    34.168
D8           21.192    12.187     8.707
D13          22.090    13.423     1.000
D20           1.000     2.181     2.133
D32           1.497     1.497     1.497
D35          18.089    17.995    17.471
D38           1.685     1.777     2.296
【０２７５】
［表３４］
撮影距離    750.000   750.000   750.000
D32           4.389     6.454    10.347
D35          13.322    10.841     6.088
D38           3.560     3.976     4.836
【０２７６】
［表３５］
面番号      K         A4          A6          A8          A10         A12
23        0.0000 -4.6404E-06 -1.0276E-09 -6.5904E-13  6.4264E-15 -6.1444E-18
36        0.0000  1.1879E-05  7.5842E-09 -5.0100E-11  1.8155E-13 -2.3360E-16
43        0.0000 -2.2801E-06  4.8269E-07 -1.7687E-09  3.5871E-12 -2.6723E-15
44        0.0000 -3.7667E-06  3.8091E-07 -1.4534E-09  2.9669E-12 -2.6666E-15
［表３６］
実施例1  実施例2  実施例3  実施例4
条件式(1)   F1/Fw                     2.196    2.114    2.140    2.072
条件式(2)   F1/Ft                     0.907    0.873    0.883    0.770
条件式(3)   νan                     81.607   81.607   81.607   81.607
条件式(4)   F1/|Fb|                   1.721    1.243    0.717    1.807
条件式(5)   Fp/|Fb|                   0.436    0.328    0.184    0.590
条件式(6)   |Fa/Fb|                   0.518    0.408    0.244    0.574
条件式(7)   Fp/Ft                     0.230    0.230    0.227    0.251
条件式(8)   |Fa|/Ma                   0.824    0.978    1.032    0.845
条件式(9)   Fpr/|Fpf|                 0.093    0.187    0.198    0.023
条件式(10)  αn2t/αn1t               0.267    0.170    0.228    0.246
条件式(11)  |Fn1|/Ft                  0.272    0.220    0.288    0.244
条件式(12)  |Fn2|/Ft                  0.239    0.294    0.320    0.219
条件式(13)  R1f/Ft                    0.894    1.037    1.189    0.883
条件式(14)  (Rn1f+Rn1r)/(Rn1f-Rn1r)   1.558    1.352    1.436    1.559
条件式(15)  BFt/Fr                    0.749    0.687    0.512    0.793
条件式(16)  Fr/Ft                     0.265    0.278    0.333    0.232
条件式(17)  ν1p                     95.099   95.099   95.099   95.099
条件式(18)  ν1n                     33.269   40.782   40.782   40.734
条件式(19)  Nbp                       1.900    1.904    1.855    1.900
条件式(20)  νn1n                    49.339   49.598   67.001   49.624
条件式(21)  Dn1/|Fn1|                 0.072    0.091    0.016    0.081
条件式(22)  Dn2/|Fn2|                 0.029    0.023    0.018    0.028
条件式(23)  D12t/TLw                  0.301    0.263    0.262    0.276
実施例5  実施例6  実施例7
条件式(1)   F1/Fw                     0.945    2.113    2.041
条件式(2)   F1/Ft                     0.497    1.164    1.124
条件式(3)   νan                     81.607   68.623   68.623
条件式(4)   F1/|Fb|                   1.315    0.741    0.833
条件式(5)   Fp/|Fb|                   0.527    0.206    0.353
条件式(6)   |Fa/Fb|                   0.499    0.393    0.436
条件式(7)   Fp/Ft                     0.199    0.324    0.477
条件式(8)   |Fa|/Ma                   1.646    2.296    2.377
条件式(9)   Fpr/|Fpf|                 0.151    0.525    1.265
条件式(10)  αn2t/αn1t               0.235    0.200    0.192
条件式(11)  |Fn1|/Ft                  0.166    0.345    0.337
条件式(12)  |Fn2|/Ft                  0.178    0.484    0.487
条件式(13)  R1f/Ft                    4.179    1.223    1.371
条件式(14)  (Rn1f+Rn1r)/(Rn1f-Rn1r)   2.303    1.416    1.369
条件式(15)  BFt/Fr                    0.313    0.380    0.384
条件式(16)  Fr/Ft                     0.288    0.406    0.400
条件式(17)  ν1p                     95.099   95.099   95.099
条件式(18)  ν1n                     40.929   33.269   33.269
条件式(19)  Nbp                       1.847    1.954    1.954
条件式(20)  νn1n                    49.598   49.624   31.315
条件式(21)  Dn1/|Fn1|                 0.065    0.075    0.079
条件式(22)  Dn2/|Fn2|                 0.017    0.019    0.019
条件式(23)  D12t/TLw                  0.226    0.177    0.166
【０２７７】
［表３７］
実施例1   実施例2   実施例3   実施例4   実施例5   実施例6   実施例7
Fw      72.085    72.090    71.556    72.088   203.875    72.110    72.109
Ft     174.612   174.644   173.385   193.999   388.046   130.940   130.956
F1     158.299   152.411   153.159   149.337   192.691   152.369   147.180
Fa     -47.642   -50.030   -52.215   -47.481   -73.040   -80.874   -77.142
Fb      91.963   122.656   213.637    82.661   146.494  -205.563  -176.754
Fp      40.132    40.238    39.299    48.744    77.183    42.424    62.457
Fpf    452.983   207.931   185.999  2113.650   504.045    74.472  -109.744
Fpr     42.134    38.827    36.774    47.693    75.945    39.071   138.809
Fn1    -47.482   -38.421   -49.987   -47.287   -64.400   -45.145   -44.152
Fn2    -41.777   -51.429   -55.406   -42.405   -69.180   -63.326   -63.739
Fr      46.232    48.638    57.796    44.921   111.799    53.135    52.366
αn1t   -4.568    -5.233    -4.263    -4.568    -5.564    -3.307    -3.370
αn2t   -1.218    -0.891    -0.971    -1.124    -1.305    -0.663    -0.645
βn1t    2.179     2.611     2.281     2.250     2.165     2.361     2.392
βn2t   52.596    10.191     4.881   -50.600     2.725     3.468     3.228
βn1rt   1.104     0.948     1.007     1.060     1.228     0.850     0.845
βn2rt   0.021     0.093     0.206    -0.021     0.451     0.245     0.262
Ma      57.794    51.175    50.576    56.173    44.371    35.216    32.449
Dn1      3.442     3.478     0.800     3.825     4.162     3.395     3.470
Dn2      1.200     1.200     1.000     1.200     1.200     1.200     1.200
D12t    60.000    52.599    52.500    58.080    70.051    36.325    34.168
Bft     34.637    33.419    29.599    35.615    34.952    20.170    20.095
TLw    199.042   199.933   200.680   210.680   310.000   205.693   205.682
R1f    156.099   181.120   206.172   171.302  1621.700   160.148   179.511
Rn1f   112.269   153.614   135.720   116.428    77.404   153.830   169.458
Rn1r    24.487    23.001    24.292    25.447    30.540    26.514    26.393
【産業上の利用可能性】
【０２７８】
本件発明によれば、本件発明によれば、フォーカス群の軽量化を図りつつ、小型で、且つ、光学性能の高いズームレンズ及び撮像装置を提供することができる。
【符号の説明】
【０２７９】
Ｇ１  ・・・レンズ群Ｇ１
Ｇａ  ・・・レンズ群Ｇａ
Ｇｂ  ・・・レンズ群Ｇｂ
Ｇｃ  ・・・レンズ群Ｇｃ
Ｇｐ  ・・・レンズ群Ｇｐ
Ｇｐｆ  ・・・物体側部分レンズ群Ｇｐｆ
Ｇｐｒ  ・・・像側部分レンズ群Ｇｐｂ
Ｇｎ１  ・・・レンズ群Ｇｎ１
Ｇｎ２  ・・・レンズ群Ｇｎ２
Ｇｒ  ・・・レンズ群Ｇｒ
Ｓ  ・・・開口絞り
ＣＧ  ・・・カバーガラス
ＩＭＧ  ・・・結像面
【図１】
2020052338.tif 000003
【図２】
2020052338.tif 000004
【図３】
2020052338.tif 000005
【図４】
2020052338.tif 000006
【図５】
2020052338.tif 000007
【図６】
2020052338.tif 000008
【図７】
2020052338.tif 000009
【図８】
2020052338.tif 000010
【図９】
2020052338.tif 000011
【図１０】
2020052338.tif 000012
【図１１】
2020052338.tif 000013
【図１２】
2020052338.tif 000014
【図１３】
2020052338.tif 000015
【図１４】
2020052338.tif 000016
【図１５】
2020052338.tif 000017
【図１６】
2020052338.tif 000018
【図１７】
2020052338.tif 000019
【図１８】
2020052338.tif 000020
【図１９】
2020052338.tif 000021
【図２０】
2020052338.tif 000022
【図２１】
2020052338.tif 000023